(57)【要約】（ａ）「×」にほぼ類似するように構成された乗算記号と、前記乗算記号と同じ位置に中心が配置された（ｂ）それぞれ、「＋」、「−」、および「÷」にほぼ類似するように構成された、加算記号、減算記号、および除算記号のうちの１つまたは複数とを表示する、改良されたマルチセグメントの電子作動式表示アレイ。前記アレイの新規な中央セグメントまたは中央セグメントグループは、乗算記号、およびその他の表示可能な算術演算記号の中央部分（本質的には、（ａ）乗算記号と、（ｂ）減算記号全体を構成する水平の棒、加算記号の水平部分、および／または、除算記号の上下の中央に配置された部分との、共通部分全体）を表示する。前記中央セグメントまたは中央セグメントグループの新規な特徴は、その最大の水平寸法が、前記水平の棒の高さ、および任意の表示可能な加算記号の腕の幅を、大きく上回るということである。
2005526297.tif 000002
【特許請求の範囲】
【請求項１】
複数の異なる記号を、一度に１つの記号について視覚的に表現するための、少なくとも５つの電子的に動作可能なセグメントを具備した表示アレイであって、前記セグメントのそれぞれは視覚的に連続しており、前記セグメントは、
（ａ）第１のセグメントである中央セグメントと、
（ｂ）第２および第３のセグメントとを含み、
前記中央セグメントは、
（１）（Ａ）想像上の垂直軸により二分される合同な左半分および右半分と、
（Ｂ）想像上の水平軸により二分される合同な上半分および下半分とに分割可能であり、
（２）（Ａ）長さが等しい上および下の境界と、
（Ｂ）前記上と下の境界の、左の端点同士および右の端点同士をそれぞれ結ぶ、合同な左および右の境界とにより境界が付けられ、
前記長さが等しい上および下の境界は、
（ｉ）前記水平軸に平行であり、前記上の境界の長さが前記境界の間の距離を少なくとも２０％上回るように、前記水平軸の上方および下方に、それぞれ等しい間隔をおいて配置され、
（ｉｉ）前記垂直軸の両側に、前記垂直軸からほぼ同じ距離に配置された、左および右の端点をそれぞれが有し、前記上の境界の前記左および右の端点の、前記垂直軸からの距離は、それぞれ、前記下の境界の前記右および左の端点の、前記垂直軸からの距離と等しく、
前記第２および第３のセグメントは、本質的に合同であり、それぞれ、前記中央セグメントの左および右に水平に伸びており、
（１）前記第２のセグメントは、前記中央セグメントの前記左の境界に隣接し、前記左の境界と本質的に合同で、前記左の境界と本質的に平行な、右の境界を有し、
（２）前記第３のセグメントは、前記中央セグメントの前記右の境界に隣接し、前記右の境界と本質的に合同で、前記右の境界と本質的に平行な、左の境界を有し、
それにより、前記アレイは、前記中央セグメントを使用し、また、前記セグメントのうちの少なくとも２つ以上をさらに使用し、ただし、前記第２のセグメントおよび前記第３のセグメントは使用せずに、ばつ印に類似した乗算記号の実質的に完全な表現を表示することが可能であり、また、
それにより、前記アレイは、少なくとも前記中央セグメント、第２のセグメント、および第３のセグメントを使用して、加算記号、減算記号、および除算記号からなる群から選択された少なくとも１つの記号の実質的に完全な表現を、一度に１つの記号について表示することが可能である表示アレイ。
【請求項２】
前記セグメントは、液晶ディスプレイセグメントである、請求項１に記載の表示アレイ。
【請求項３】
前記セグメントは、
（ａ）第４のセグメントと、
（ｂ）第５のセグメントと、
（ｃ）第６および第７のセグメントとをさらに含み、
前記第４のセグメントは、
（１）平坦で幅広くなるように水平に切り取られた底部を有する、ほぼ直立した太字のｖにほぼ類似するように構成され、
（２）下の境界を有し、前記下の境界は、
（Ａ）したがって、まっすぐで、水平であり、
（Ｂ）前記中央セグメントの前記上の境界の上方にあり、前記上の境界に隣接し、前記上の境界とほぼ同じ長さで、前記上の境界に対してほぼ中央に配置され、
（Ｃ）左および右の端点を有し、
前記第５のセグメントは、前記第４のセグメントと本質的に合同であり、上の境界を有し、前記上の境界は、
（１）前記第４のセグメントの前記下の境界に対応し、
（２）前記下の境界の前記右および左の端点にそれぞれ対応する、左および右の端点を有し、
（３）前記中央セグメントの前記下の境界の下方にあり、前記下の境界に隣接し、前記下の境界に対してほぼ中央に配置され、
前記第６および第７のセグメントは、
（１）本質的に合同で、前記中央セグメントを二分する想像上のほぼ垂直な線に対して配置されており、
（２）それぞれ、前記中央セグメントの上方および下方に、本質的に同じ間隔をあけて配置され、前記第４のセグメントおよび第５のセグメントから離して配置され、
それにより、前記アレイは、前記中央セグメント、第４のセグメント、および第５のセグメントを使用して、乗算記号の前記表現を表示することが可能であり、また、
それにより、前記アレイは、前記中央セグメント、第２のセグメント、第３のセグメント、第６のセグメント、および第７のセグメントを使用して、除算記号の実質的に完全な表現を表示することが可能である、請求項１に記載の表示アレイ。
【請求項４】
前記セグメントは、液晶ディスプレイセグメントである、請求項３に記載の表示アレイ。
【請求項５】
前記セグメントは、
（ａ）第４および第５のセグメントと、
（ｂ）第６および第７のセグメントと、
（ｃ）第８および第９のセグメントと、
（ｄ）第１０および第１１のセグメントとをさらに含み、
前記第４および第５のセグメントは、本質的に合同であり、前記中央セグメントにほとんど接触して、それぞれ前記中央セグメントの左下および右上に、斜め向きに配置され、
前記第６および第７のセグメントは、本質的に合同であり、前記中央セグメントにほとんど接触して、それぞれ前記中央セグメントの左上および右下に、斜め向きに配置され、
前記第８および第９のセグメントは、
（１）本質的に合同であり、それぞれ前記中央セグメントの上方および下方に配置され、
（２）（Ａ）まっすぐで、水平であり、前記中央セグメントに隣接して、前記中央セグメントに対してほぼ中央に配置された、内側の境界と、
（Ｂ）外側の境界と、
（Ｃ）前記内側の境界と外側の境界とを結び、前記第８のセグメントの場合は、それぞれ前記第６および第５のセグメントに隣接し、前記第９のセグメントの場合は、それぞれ前記第４および第７のセグメントに隣接する、左および右の境界とによって、それぞれが境界を付けられ、
前記第１０および第１１のセグメントは、
（１）本質的に合同であり、
（２）それぞれ前記第８および第９のセグメントの上方および下方に、ほぼ直立して配置され、
（３）（Ａ）それぞれ、前記第８のセグメントの外側の境界、および前記第９のセグメントの外側の境界に隣接し、前記外側の境界と本質的に合同で、前記外側の境界と本質的に平行な、内側の境界と、
（Ｂ）外側の境界と、
（Ｃ）平行で、ほぼ直立した左および右の境界とによって、それぞれが境界を付けられ、前記左および右の境界は、
（ｉ）前記内側の境界と外側の境界とを結び、
（ｉｉ）前記左および右の境界の間の水平方向に測定した距離よりも、前記中央セグメントの前記上の境界の長さが、少なくとも２０％上回るように配置され、
それにより、前記アレイは、前記中央セグメント、第４のセグメント、第５のセグメント、第６のセグメント、第７のセグメント、第８のセグメント、および第９のセグメントを使用して、乗算記号の前記表現を表示することが可能であり、また、
それにより、前記アレイは、少なくとも前記中央セグメント、第２のセグメント、第３のセグメント、第８のセグメント、第９のセグメント、第１０のセグメント、および第１１のセグメントを使用して、加算記号の実質的に完全な表現を表示することが可能である、請求項１に記載の表示アレイ。
【請求項６】
前記セグメントは、液晶ディスプレイセグメントである、請求項５に記載の表示アレイ。
【請求項７】
数値演算の技能の学習を容易にする装置を提供するために、前記アレイ、および前記アレイを作動させる回路を保持するためのケースをさらに含む、請求項５に記載の表示アレイ。
【請求項８】
前記セグメントは、液晶ディスプレイセグメントである、請求項７に記載の表示アレイ。
【請求項９】
前記セグメントは、液晶ディスプレイセグメントであり、また、本質的に合同な第１２および第１３のセグメントを含み、前記第１２および第１３のセグメントは、それぞれ前記第１０および第１１のセグメントの、上方および下方に、前記セグメントに隣接して、ほぼ直立して配置され、
それにより、前記アレイは、前記中央セグメント、第２のセグメント、第３のセグメント、第８のセグメント、第９のセグメント、第１０のセグメント、第１１のセグメント、第１２のセグメント、および第１３のセグメントを使用して、加算記号の前記表現を表示することが可能であり、また、
それにより、前記アレイは、前記中央セグメント、第２のセグメント、第３のセグメント、第１２のセグメント、および第１３のセグメントを使用して、除算記号の実質的に完全な表現を表示することが可能である、請求項５に記載の表示アレイ。
【請求項１０】
数値演算計算機を提供するために、前記アレイ、および前記アレイを作動させる回路を保持するためのケースをさらに含む、請求項９に記載の表示アレイ。
【請求項１１】
数値演算の技能の学習を容易にする装置を提供するために、前記アレイ、および前記アレイを作動させる回路を保持するためのケースをさらに含み、前記中央セグメントの前記上の境界の長さは、（ａ）前記中央セグメントの前記上と下の境界の間の距離、および（ｂ）前記第１０のセグメントの前記左と右の境界の間の前記水平方向に測定した距離のそれぞれを、少なくとも７０％上回る、請求項９に記載の表示アレイ。
【請求項１２】
複数の異なる記号を、一度に１つの記号について視覚的に表現するための、９つの電子的に動作可能なセグメントを具備した表示アレイであって、前記セグメントのそれぞれは視覚的に連続しており、前記セグメントは、
（ａ）第１のセグメントである中央セグメントと、
（ｂ）第２および第３のセグメントと、
（ｃ）第４および第５のセグメントと、
（ｄ）第６および第７のセグメントと、
（ｅ）第８および第９のセグメントとを含み、
前記中央セグメントは、
（１）（Ａ）想像上の垂直軸により二分される合同な左半分および右半分と、
（Ｂ）想像上の水平軸により二分される合同な上半分および下半分とに分割可能であり、
（２）（Ａ）左、左上、上、および右上の境界と、
（Ｂ）前記左、左上、上、および右上の境界とそれぞれ向かい合わせであり、かつ合同な、右、右下、下、および左下の境界とにより、連続的に境界が付けられ、また、
（３）水平方向の最大寸法を有し、
前記第２および第３のセグメントは、本質的に合同であり、前記中央セグメントのそれぞれ左および右に水平に伸びており、
（１）前記第２のセグメントは、前記中央セグメントの前記左の境界に隣接し、前記左の境界と本質的に合同であり、前記左の境界に本質的に平行な、右の境界を有し、
（２）前記第３のセグメントは、前記中央セグメントの前記右の境界に隣接し、前記右の境界と本質的に合同であり、前記右の境界に本質的に平行な、左の境界を有し、
前記第４および第５のセグメントは、本質的に合同であり、前記中央セグメントのそれぞれ左下および右上に斜めに伸びており、
（１）前記第４のセグメントは、前記中央セグメントの前記左下の境界に隣接し、前記左下の境界と本質的に合同であり、前記左下の境界に本質的に平行な、右上の境界を有し、
（２）前記第５のセグメントは、前記中央セグメントの前記右上の境界に隣接し、前記右上の境界と本質的に合同であり、前記右上の境界に本質的に平行な、左下の境界を有し、
前記第６および第７のセグメントは、本質的に合同であり、前記中央セグメントのそれぞれ左上および右下に斜めに伸びており、
（１）前記第６のセグメントは、前記中央セグメントの前記左上の境界に隣接し、前記左上の境界と本質的に合同であり、前記左上の境界に本質的に平行な、右下の境界を有し、
（２）前記第７のセグメントは、前記中央セグメントの前記右下の境界に隣接し、前記右下の境界と本質的に合同であり、前記右下の境界に本質的に平行な、左上の境界を有し、
前記第８および第９のセグメントは、本質的に合同であり、前記中央セグメントのそれぞれ上方および下方に、ほぼ直立して伸びており、
（１）前記第８のセグメントは、前記中央セグメントの前記上の境界に隣接し、前記上の境界と本質的に合同であり、前記上の境界に本質的に平行な、下の境界を有し、
（２）前記第９のセグメントは、前記中央セグメントの前記下の境界に隣接し、前記下の境界と本質的に合同であり、前記下の境界に本質的に平行な、上の境界を有し、
（３）前記第８および第９の両方のセグメントは、平行でほぼ直立した左および右の境界を有し、前記左および右の境界は、前記中央セグメントの前記水平方向の最大寸法が、水平方向に測定した距離を少なくとも２０％上回るような水平方向に測定した距離だけ隔てられ、
それにより、前記アレイは、前記中央セグメント、第４のセグメント、第５のセグメント、第６のセグメント、および第７のセグメントを使用して、ばつ印に類似した乗算記号の実質的に完全な表現を表示することが可能であり、また、
それにより、前記アレイは、前記中央セグメント、第２のセグメント、第３のセグメント、第８のセグメント、および第９のセグメントを使用して、加算記号の実質的に完全な表現を表示することが可能である表示アレイ。
【請求項１３】
前記セグメントは、液晶ディスプレイセグメントである、請求項１２に記載の表示アレイ。
【請求項１４】
数値演算の技能の学習を容易にする装置を提供するために、前記アレイ、および前記アレイを作動させる回路を保持するためのケースをさらに含む、請求項１３に記載の表示アレイ。
【請求項１５】
複数の異なる記号を、一度に１つの記号について視覚的に表現するための、少なくとも５つの電子的に動作可能なセグメントを具備した表示アレイであって、前記セグメントのそれぞれは視覚的に連続しており、前記セグメントは、
（ａ）第１のセグメントである中央セグメントと、
（ｂ）第２および第３のセグメントとを含み、
前記中央セグメントは、
（１）想像上の垂直軸および水平軸に関して対称であり、
（２）（Ａ）平行な上および下の境界と、
（Ｂ）左の境界と、
（Ｃ）右の境界とにより境界を付けられ、
前記上および下の境界は、
（ｉ）前記上の境界の長さが前記境界の間の距離を少なくとも２０％上回るように、前記水平軸のそれぞれ上方および下方に間隔をあけて配置され、前記水平軸に関して相互に対称であり、
（ｉｉ）前記垂直軸に関して対称であり、
（ｉｉｉ）それぞれが左および右の端点を有し、
前記左の境界は、
（ｉ）前記水平軸に関して対称であり、
（ｉｉ）前記上の境界の前記左の端点から開始され、
（ｉｉｉ）次に、前記水平軸上の、前記垂直軸の左に配置された点まで、右方向および下方向に伸び、
（ｉｖ）次に、前記下の境界の前記左の端点まで、左方向および下方向に伸び、
（ｖ）それにより、前記中央セグメントは、水平方向の、尖った左側の窪みを有するようになり、
前記右の境界は、
（ｉ）前記上および下の境界の前記右の端点を結び、
（ｉｉ）前記垂直軸に関して前記左の境界と対称であり、
前記第２および第３のセグメントは、前記中央セグメントのそれぞれ左および右に水平に伸び、前記水平軸に関して対称であり、前記垂直軸に関して相互に対称であり、
（１）前記第２のセグメントは、前記中央セグメントの前記左の境界に隣接し、前記左の境界と本質的に合同であり、前記左の境界に本質的に平行な、右の境界を有し、
（２）前記第３のセグメントは、前記中央セグメントの前記右の境界に隣接し、前記右の境界と本質的に合同であり、前記右の境界に本質的に平行な、左の境界を有し、
それにより、前記アレイは、前記中央セグメントを使用し、また、前記セグメントのうちの少なくとも２つ以上をさらに使用し、ただし、前記第２のセグメントおよび前記第３のセグメントは使用せずに、ばつ印に類似した乗算記号の実質的に完全な表現を表示することが可能であり、また、
それにより、前記アレイは、少なくとも前記中央セグメント、第２のセグメント、および第３のセグメントを使用して、加算記号、減算記号、および除算記号からなる群から選択された少なくとも１つの記号の実質的に完全な表現を、一度に１つの記号について表示することが可能である表示アレイ。
【請求項１６】
前記セグメントは、液晶ディスプレイセグメントである、請求項１５に記載の表示アレイ。
【請求項１７】
前記セグメントは、
（ａ）第４のセグメントと、
（ｂ）第５のセグメントと、
（ｃ）第６および第７のセグメントとをさらに含み、
前記第４のセグメントは、
（１）前記垂直軸に関して対称であり、
（２）平坦で幅広くなるように水平に切り取られた底部を有する、直立した太字のｖにほぼ類似するように構成され、
（３）下の境界を有し、前記下の境界は、
（Ａ）したがって、まっすぐで、水平であり、
（Ｂ）前記中央セグメントの前記上の境界の上方にあり、前記上の境界に隣接し、前記上の境界とほぼ同じ長さであり、
前記第５のセグメントは、前記水平軸に関して前記第４のセグメントと対称であり、
前記第６および第７のセグメントは、
（１）前記水平軸に関して相互に対称であり、
（２）それぞれ、前記中央セグメントの上方および下方のほぼ中央に、間隔をあけて配置され、前記第４のセグメントおよび第５のセグメントから離して配置され、
それにより、前記アレイは、前記中央セグメント、第４のセグメント、および第５のセグメントを使用して、乗算記号の前記表現を表示することが可能であり、また、
それにより、前記アレイは、前記中央セグメント、第２のセグメント、第３のセグメント、第６のセグメント、および第７のセグメントを使用して、除算記号の実質的に完全な表現を表示することが可能である、請求項１５に記載の表示アレイ。
【請求項１８】
前記セグメントは、液晶ディスプレイセグメントである、請求項１７に記載の表示アレイ。
【請求項１９】
前記セグメントは、
（ａ）第４のセグメントと、
（ｂ）第５および第６のセグメントと、
（ｃ）第７のセグメントと、
（ｄ）第８のセグメントと、
（ｅ）第９のセグメントと、
（ｆ）第１０および第１１のセグメントとをさらに含み、
前記第４のセグメントは、前記中央セグメントの左上に配置され、
（１）前記中央セグメントの前記上の境界の前記左の端点に隣接して配置された、まっすぐであり、右下の端点を有する、下の斜めの境界と、
（２）まっすぐであり、前記下の斜めの境界に平行であり、前記下の斜めの境界とほぼ向かい合わせであり、前記下の斜めの境界の右上に配置された、上の斜めの境界と、
（３）前記中央セグメントの前記上の境界の上方に、ほぼ接触するように配置された、尖った右下の先端部とを有し、
前記第５および第６のセグメントは、それぞれ前記水平軸および垂直軸に関して、前記第４のセグメントと対称であり、
前記第７のセグメントは、前記垂直軸に関して前記第５のセグメントと対称であり、前記第４のセグメントの下および上の斜めの境界とそれぞれ同一直線上にある、下および上の斜めの境界を有し、
前記第８のセグメントは、前記中央セグメントの上方に配置され、前記垂直軸に関して対称であり、
（１）まっすぐであり、水平であり、前記垂直軸に関して対称であり、前記中央セグメントの前記上の境界に隣接し、左の端点を有する内側の境界と、
（２）外側の境界であって、（Ａ）前記内側の境界の上方に、前記内側の境界と向かい合わせに配置され、前記垂直軸に関して対称であり、
（Ｂ）左の端点から、前記垂直軸上の、前記水平軸のかなり上方にある点まで、下方向および右方向に伸び、次に、右の端点まで、上方向および右方向に伸び、
（Ｃ）それにより、前記第８のセグメントが、前記外側の境界によって形成される縦方向の尖った窪みを有するようになるような、外側の境界と、
（３）前記内側の境界の前記左の端点から開始し、前記第４のセグメントの前記右下の先端部に隣接して沿いながら上昇し、前記外側の境界の前記左の端点で終了する、左の境界と、
（４）前記垂直軸に関して前記左の境界と対称な、右の境界とにより境界を付けられ、
前記第９のセグメントは、前記水平軸に関して前記第８のセグメントと対称であり、
前記第１０および第１１のセグメントは、
（１）前記垂直軸を中心として対称であり、また前記水平軸に関して相互に対称であり、
（２）それぞれ、前記第８および第９のセグメントの、上方および下方に配置され、
（３）それぞれが、直立した平行な左および右の境界を有し、前記左および右の境界の間の距離よりも、前記中央セグメントの前記上の境界の長さが、少なくとも２０％上回るように、前記左および右の境界は配置され、
（４）それぞれ、前記第８のセグメントの前記外側の境界、および前記第９のセグメントの前記外側の境界に隣接し、前記境界と本質的に合同で、前記境界と本質的に平行な、内側の境界を有し、
それにより、前記アレイは、前記中央セグメント、第４のセグメント、第５のセグメント、第６のセグメント、第７のセグメント、第８のセグメント、および第９のセグメントを使用して、乗算記号の前記表現を表示することが可能であり、また、
それにより、前記アレイは、少なくとも前記中央セグメント、第２のセグメント、第３のセグメント、第８のセグメント、第９のセグメント、第１０のセグメント、および第１１のセグメントを使用して、加算記号の実質的に完全な表現を表示することが可能である、請求項１５に記載の表示アレイ。
【請求項２０】
前記セグメントは、液晶ディスプレイセグメントである、請求項１９に記載の表示アレイ。
【請求項２１】
数値演算の技能の学習を容易にする装置を提供するために、前記アレイ、および前記アレイを作動させる回路を保持するためのケースをさらに含む、請求項１９に記載の表示アレイ。
【請求項２２】
前記セグメントは、液晶ディスプレイセグメントである、請求項２１に記載の表示アレイ。
【請求項２３】
（ａ）前記中央セグメントの前記左の境界、および前記第２のセグメントの前記右の境界は、それぞれがＶ字型であり、
（ｂ）前記第４のセグメントの前記下の斜めの境界は、前記中央セグメントの前記左の境界の上半分と同一直線上にあり、
（ｃ）前記第８のセグメントの左の境界は、まっすぐであり、前記第１０のセグメントの前記直立した左の境界と同一直線上にあり、
（ｄ）前記第４のセグメントの前記右下の先端部は、
（１）前記中央セグメントの前記上の境界の最も左の部分に隣接して平行な、まっすぐで水平な下の境界と、
（２）前記第８のセグメントの前記左の境界に隣接して平行な、まっすぐで直立した右の境界とを有し、
（ｅ）前記第８のセグメントの前記外側の境界は、Ｖ字型であり、
（ｆ）前記第１０のセグメントの前記内側の境界は、Ｖ字型であり、
（ｇ）前記中央セグメントの前記上の境界の長さは、
（１）前記中央セグメントの前記上と下の境界の間の距離、および
（２）前記第１０のセグメントの前記左と右の境界の間の距離のそれぞれを、少なくとも７０％上回り、
（ｈ）それにより、乗算記号の前記表現は、実質的に正常なものとなる、請求項２２に記載の表示アレイ。
【請求項２４】
前記セグメントは液晶ディスプレイセグメントであり、さらに、第１２および第１３のセグメントも含み、前記第１２および第１３のセグメントは、
（ａ）前記垂直軸を中心として対称であり、また前記水平軸に関して相互に対称であり、
（ｂ）それぞれ、前記第１０および第１１のセグメントの、上方および下方に、それぞれ、前記セグメントに隣接して配置され、
それにより、前記アレイは、前記中央セグメント、第２のセグメント、第３のセグメント、第８のセグメント、第９のセグメント、第１０のセグメント、第１１のセグメント、第１２のセグメント、および第１３のセグメントを使用して、加算記号の前記表現を表示することが可能であり、また、
それにより、前記アレイは、前記中央セグメント、第２のセグメント、第３のセグメント、第１２のセグメント、および第１３のセグメントを使用して、除算記号の実質的に完全な表現を表示することが可能である、請求項１９に記載の表示アレイ。
【請求項２５】
数値演算計算機を提供するために、前記アレイ、および前記アレイを作動させる回路を保持するためのケースをさらに含む、請求項２４に記載の表示アレイ。
【請求項２６】
数値演算の技能の学習を容易にする装置を提供するために、前記アレイ、および前記アレイを作動させる回路を保持するためのケースをさらに含み、前記中央セグメントの前記上の境界の長さは、
（ａ）前記中央セグメントの前記上と下の境界の間の距離、および
（ｂ）前記第１０のセグメントの前記左と右の境界の間の距離のそれぞれを、少なくとも７０％上回る、請求項２４に記載の表示アレイ。
【請求項２７】
複数の異なる記号を、一度に１つの記号について視覚的に表現するための、９つの電子的に動作可能なセグメントを具備した表示アレイであって、前記セグメントのそれぞれは視覚的に連続しており、前記セグメントは、
（ａ）第１のセグメントである中央セグメントと、
（ｂ）第２のセグメントと、
（ｃ）第３のセグメントと、
（ｄ）第４のセグメントと、
（ｂ）第５および第６のセグメントと
（ｃ）第７のセグメントと、
（ｄ）第８のセグメントと、
（ｃ）第９のセグメントとを含み、
前記中央セグメントは、
（１）想像上の垂直軸および水平軸に関して対称であり、
（２）水平方向の最大寸法を有し、
（３）左、左上、上、右上、右、右下、下、および左下の境界により連続的に境界を付けられ、
（Ａ）前記左および右の境界は、前記水平軸を中心に対称であり、また前記垂直軸に関して相互に対称であり、
（Ｂ）前記上および下の境界は、前記垂直軸を中心に対称であり、また前記水平軸に関して相互に対称であり、
（Ｃ）前記左上および左下の境界は、前記水平軸に関して相互に対称であり、
（Ｄ）前記右上および右下の境界は、前記水平軸に関して相互に対称であり、また前記垂直軸に関して、それぞれ、前記左上および左下の境界と対称であり、
（Ｅ）前記８つの境界のそれぞれは、前記中央セグメントの内側を向いた窪みを形成し、
（Ｆ）それにより、前記中央セグメントは、８つの外向きに尖った点を有するようになり、
前記第２のセグメントは、
（１）前記中央セグメントの左に水平に伸び、
（２）前記水平軸を中心に対称であり、
（３）尖った右向きの先端部を形成する右の境界を有し、前記右の境界は、前記中央セグメントの前記左の境界に隣接し、前記左の境界と本質的に合同で、前記左の境界と本質的に平行であり、
前記第３のセグメントは、前記垂直軸に関して前記第２のセグメントと対称であり、
前記第４のセグメントは、前記中央セグメントの左上に配置され、
（１）前記中央セグメントの前記左および左上の境界が接合する場所に隣接して、右下の端点を有する、まっすぐな、下の斜めの境界と、
（２）前記下の斜めの境界に平行であり、前記下の斜めの境界とほぼ向かい合わせであり、前記下の斜めの境界の右上に配置された、まっすぐな、上の斜めの境界と、
（３）尖った右下向きの先端部を形成し、前記中央セグメントの前記左上の境界に隣接し、前記左上の境界と本質的に合同で、前記左上の境界と本質的に平行な、右下の境界とを有し、
前記第５および第６のセグメントは、それぞれ前記水平軸および垂直軸に関して、前記第４のセグメントと対称であり、
前記第７のセグメントは、前記垂直軸に関して前記第５のセグメントと対称であり、前記第４のセグメントの下および上の斜めの境界とそれぞれ同一直線上にある、下および上の斜めの境界を有し、
前記第８のセグメントは、
（１）前記中央セグメントの上方に配置され、前記垂直軸を中心に対称であり、
（２）直立した、平行な左および右の境界を有し、前記左および右の境界は、前記中央セグメントの前記水平方向の最大寸法が少なくとも２０％上回るような距離だけ隔てられ、
（３）尖った下向きの先端部を形成する内側の境界を有し、前記内側の境界は、前記中央セグメントの前記上の境界に隣接し、前記上の境界と本質的に合同で、前記上の境界と本質的に平行であり、
前記第９のセグメントは、前記水平軸に関して前記第８のセグメントと対称であり、
それにより、前記アレイは、前記中央セグメント、第４のセグメント、第５のセグメント、第６のセグメント、および第７のセグメントを使用して、ばつ印に類似した乗算記号の実質的に完全な表現を表示することが可能であり、また、
それにより、前記アレイは、前記中央セグメント、第２のセグメント、第３のセグメント、第８のセグメント、および第９のセグメントを使用して、加算記号の実質的に完全な表現を表示することが可能である表示アレイ。
【請求項２８】
前記セグメントは、液晶ディスプレイセグメントである、請求項２７に記載の表示アレイ。
【請求項２９】
数値演算の技能の学習を容易にする装置を提供するために、前記アレイ、および前記アレイを作動させる回路を保持するためのケースをさらに含む、請求項２８に記載の表示アレイ。
【請求項３０】
複数の異なる記号を、一度に１つの記号について視覚的に表現するための、少なくとも５つのセグメントグループを具備した表示アレイであって、前記セグメントグループのそれぞれは、少なくとも１つの、ただし５つ以下の、視覚的に連続した、電子的に動作可能なセグメントを具備し、各セグメントグループの前記複数のセグメントは隣接しており、前記セグメントグループは、
（ａ）第１のセグメントグループである中央セグメントグループと、
（ｂ）第２および第３のセグメントグループとを含み、
前記中央セグメントグループは、
（１）（Ａ）各半分が合同な外形を有するように、想像上の垂直軸により二分される左半分および右半分と、
（Ｂ）各半分が合同な外形を有するように、想像上の水平軸により二分される上半分および下半分とに分割可能であり、
（２）（Ａ）長さが等しい上および下の境界と、
（Ｂ）前記上と下の境界の、左の端点同士および右の端点同士をそれぞれ結ぶ、合同な左および右の境界とにより境界が付けられ、
前記長さが等しい上および下の境界は、
（ｉ）前記水平軸に平行であり、前記上の境界の長さが前記境界の間の距離を少なくとも２０％上回るように、前記水平軸の上方および下方に、それぞれ等しい間隔をおいて配置され、
（ｉｉ）前記垂直軸の両側に、前記垂直軸からほぼ同じ距離に配置された、左および右の端点をそれぞれが有し、前記上の境界の前記左および右の端点の、前記垂直軸からの距離は、それぞれ、前記下の境界の前記右および左の端点の、前記垂直軸からの距離と等しく、
前記第２および第３のセグメントグループは、本質的に合同な外形を有し、それぞれ、前記中央セグメントグループの左および右に水平に伸びており、
（１）前記第２のセグメントグループは、前記中央セグメントグループの前記左の境界に隣接し、前記左の境界と本質的に合同で、前記左の境界と本質的に平行な、右の境界を有し、
（２）前記第３のセグメントグループは、前記中央セグメントの前記右の境界に隣接し、前記右の境界と本質的に合同で、前記右の境界と本質的に平行な、左の境界を有し、
それにより、前記アレイは、前記中央セグメントグループに含まれるすべてのセグメントを使用し、また、前記アレイの前記セグメントグループのうちの少なくともさらに２つ以上に含まれるすべてのセグメントを使用し、ただし、前記第２のセグメントグループおよび前記第３のセグメントグループに含まれるいずれのセグメントも使用せずに、ばつ印に類似した乗算記号の実質的に完全な表現を表示することが可能であり、また、
それにより、前記アレイは、少なくとも前記中央セグメントグループ、第２のセグメントグループ、および第３のセグメントグループに含まれるすべてのセグメントを使用して、加算記号、減算記号、および除算記号からなる群から選択された少なくとも１つの記号の実質的に完全な表現を、一度に１つの記号について表示することが可能である表示アレイ。
【請求項３１】
前記セグメントは、液晶ディスプレイセグメントである、請求項３０に記載の表示アレイ。
【請求項３２】
前記セグメントグループは、
（ａ）第４のセグメントグループと、
（ｂ）第５のセグメントグループと、
（ｃ）第６および第７のセグメントグループとをさらに含み、
前記第４のセグメントグループは、
（１）平坦で幅広くなるように水平に切り取られた底部を有する、ほぼ直立した太字のｖにほぼ類似するように構成された外形、および
（２）下の境界を有し、前記下の境界は、
（Ａ）したがって、まっすぐで、水平であり、
（Ｂ）前記中央セグメントグループの前記上の境界の上方にあり、前記上の境界に隣接し、前記上の境界とほぼ同じ長さで、前記上の境界に対してほぼ中央に配置され、
（Ｃ）左および右の端点を有し、
前記第５のセグメントグループは、
（１）前記第４のセグメントグループの前記外形と本質的に合同な外形、および
（２）上の境界を有し、前記上の境界は、
（Ａ）前記第４のセグメントグループの前記下の境界に対応し、
（Ｂ）前記下の境界の前記右および左の端点にそれぞれ対応する、左および右の端点を有し、
（Ｃ）前記中央セグメントグループの前記下の境界の下方にあり、前記下の境界に隣接し、前記下の境界に対してほぼ中央に配置され、
前記第６および第７のセグメントグループは、
（１）本質的に合同な外形を有し、
（２）前記中央セグメントグループを二分する想像上のほぼ垂直な線に対して配置されており、
（３）それぞれ、前記中央セグメントグループの上方および下方に、本質的に同じ間隔をあけて配置され、前記第４のセグメントグループおよび第５のセグメントグループから離して配置され、
それにより、前記アレイは、前記中央セグメントグループ、第４のセグメントグループ、および第５のセグメントグループに含まれるすべてのセグメントを使用して、乗算記号の前記表現を表示することが可能であり、また、
それにより、前記アレイは、前記中央セグメントグループ、第２のセグメントグループ、第３のセグメントグループ、第６のセグメントグループ、および第７のセグメントグループに含まれるすべてのセグメントを使用して、除算記号の実質的に完全な表現を表示することが可能である、請求項３０に記載の表示アレイ。
【請求項３３】
前記セグメントは、液晶ディスプレイセグメントである、請求項３２に記載の表示アレイ。
【請求項３４】
前記セグメントグループは、
（ａ）第４および第５のセグメントグループと、
（ｂ）第６および第７のセグメントグループと、
（ｃ）第８および第９のセグメントグループと、
（ｄ）第１０および第１１のセグメントグループとをさらに含み、
前記第４および第５のセグメントグループは、本質的に合同な外形を有し、前記中央セグメントグループにほとんど接触して、それぞれ前記中央セグメントグループの左下および右上に、斜め向きに配置され、
前記第６および第７のセグメントグループは、本質的に合同な外形を有し、前記中央セグメントグループにほとんど接触して、それぞれ前記中央セグメントグループの左上および右下に、斜め向きに配置され、
前記第８および第９のセグメントグループは、
（１）本質的に合同な外形を有し、
（２）それぞれ、前記中央セグメントグループの上方および下方に配置され、
（３）（Ａ）まっすぐで、水平であり、前記中央セグメントグループに隣接して、前記中央セグメントグループに対してほぼ中央に配置された、内側の境界と、
（Ｂ）外側の境界と、
（Ｃ）前記内側の境界と外側の境界とを結び、前記第８のセグメントグループの場合は、それぞれ前記第６および第５のセグメントグループに隣接し、前記第９のセグメントグループの場合は、それぞれ前記第４および第７のセグメントグループに隣接する、左および右の境界とによって、それぞれが境界を付けられ、
前記第１０および第１１のセグメントグループは、
（１）本質的に合同な外形を有し、
（２）それぞれ前記第８および第９のセグメントグループの上方および下方に、ほぼ直立して配置され、
（３）（Ａ）それぞれ、前記第８のセグメントグループの外側の境界、および前記第９のセグメントグループの外側の境界に隣接し、前記外側の境界と本質的に合同で、前記外側の境界と本質的に平行な、内側の境界と、
（Ｂ）外側の境界と、
（Ｃ）平行で、ほぼ直立した左および右の境界とによって、それぞれが境界を付けられ、前記左および右の境界は、
（ｉ）前記内側の境界と外側の境界とを結び、
（ｉｉ）前記左および右の境界の間の水平方向に測定した距離よりも、前記中央セグメントグループの前記上の境界の長さが、少なくとも２０％上回るように配置され、
それにより、前記アレイは、前記中央セグメントグループ、第４のセグメントグループ、第５のセグメントグループ、第６のセグメントグループ、第７のセグメントグループ、第８のセグメントグループ、および第９のセグメントグループに含まれるすべてのセグメントを使用して、乗算記号の前記表現を表示することが可能であり、また、
それにより、前記アレイは、少なくとも前記中央セグメントグループ、第２のセグメントグループ、第３のセグメントグループ、第８のセグメントグループ、第９のセグメントグループ、第１０のセグメントグループ、および第１１のセグメントグループに含まれるすべてのセグメントを使用して、加算記号の実質的に完全な表現を表示することが可能である、請求項３０に記載の表示アレイ。
【請求項３５】
前記セグメントは、液晶ディスプレイセグメントである、請求項３４に記載の表示アレイ。
【請求項３６】
数値演算の技能の学習を容易にする装置を提供するために、前記アレイ、および前記アレイを作動させる回路を保持するためのケースをさらに含む、請求項３４に記載の表示アレイ。
【請求項３７】
前記セグメントは、液晶ディスプレイセグメントである、請求項３６に記載の表示アレイ。
【請求項３８】
前記セグメントは、液晶ディスプレイセグメントであり、また、前記セグメントグループは、本質的に合同な外形を有する、ほぼ直立して配置された第１２および第１３のセグメントグループも含み、
（ａ）前記第１２のセグメントグループは、前記第１０のセグメントグループに隣接して、前記第１０のセグメントグループの上方のほぼ中央に配置され、
（ｂ）前記第１３のセグメントグループは、前記第１１のセグメントグループに隣接して、前記第１１のセグメントグループの下方のほぼ中央に配置され、
それにより、前記アレイは、前記中央セグメントグループ、第２のセグメントグループ、第３のセグメントグループ、第８のセグメントグループ、第９のセグメントグループ、第１０のセグメントグループ、第１１のセグメントグループ、第１２のセグメントグループ、および第１３のセグメントグループに含まれるすべてのセグメントを使用して、加算記号の前記表現を表示することが可能であり、また、
それにより、前記アレイは、前記中央セグメントグループ、第２のセグメントグループ、第３のセグメントグループ、第１２のセグメントグループ、および第１３のセグメントグループに含まれるすべてのセグメントを使用して、除算記号の実質的に完全な表現を表示することが可能である、請求項３４に記載の表示アレイ。
【請求項３９】
数値演算計算機を提供するために、前記アレイ、および前記アレイを作動させる回路を保持するためのケースをさらに含む、請求項３８に記載の表示アレイ。
【請求項４０】
数値演算の技能の学習を容易にする装置を提供するために、前記アレイ、および前記アレイを作動させる回路を保持するためのケースをさらに含み、前記中央セグメントグループの前記上の境界の長さは、
（ａ）前記中央セグメントグループの前記上と下の境界の間の距離、および
（ｂ）前記第１０のセグメントグループの前記左と右の境界の間の前記水平方向に測定した距離のそれぞれを、少なくとも７０％上回る、請求項３８に記載の表示アレイ。
【請求項４１】
複数の異なる記号を、一度に１つの記号について視覚的に表現するための、９つのセグメントグループを具備した表示アレイであって、前記セグメントグループのそれぞれは、少なくとも１つの、ただし５つ以下の、視覚的に連続した、電子的に動作可能なセグメントを具備し、各セグメントグループの前記複数のセグメントは隣接しており、前記セグメントグループは、
（ａ）第１のセグメントグループである中央セグメントグループと、
（ｂ）第２および第３のセグメントグループと、
（ｃ）第４および第５のセグメントグループと、
（ｄ）第６および第７のセグメントグループと、
（ｅ）第８および第９のセグメントグループとを含み、
前記中央セグメントグループは、
（１）（Ａ）各半分が合同な外形を有するように、想像上の垂直軸により二分される左半分および右半分と、
（Ｂ）各半分が合同な外形を有するように、想像上の水平軸により二分される上半分および下半分とに分割可能であり、
（２）（Ａ）左、左上、上、および右上の境界と、
（Ｂ）前記左、左上、上、および右上の境界とそれぞれ向かい合わせであり、かつ合同な、右、右下、下、および左下の境界とにより、連続的に境界が付けられ、また、
（３）水平方向の最大寸法を有し、
前記第２および第３のセグメントグループは、本質的に合同な外形を有し、それぞれ、前記中央セグメントグループの左および右に水平に伸びており、
（１）前記第２のセグメントグループは、前記中央セグメントグループの前記左の境界に隣接し、前記左の境界と本質的に合同で、前記左の境界と本質的に平行な、右の境界を有し、
（２）前記第３のセグメントグループは、前記中央セグメントグループの前記右の境界に隣接し、前記右の境界と本質的に合同で、前記右の境界と本質的に平行な、左の境界を有し、
前記第４および第５のセグメントグループは、本質的に合同な外形を有し、それぞれ、前記中央セグメントグループの左下および右上に斜めに伸びており、
（１）前記第４のセグメントグループは、前記中央セグメントグループの前記左下の境界に隣接し、前記左下の境界と本質的に合同で、前記左下の境界と本質的に平行な、右上の境界を有し、
（２）前記第５のセグメントグループは、前記中央セグメントグループの前記右上の境界に隣接し、前記右上の境界と本質的に合同で、前記右上の境界と本質的に平行な、左下の境界を有し、
前記第６および第７のセグメントグループは、本質的に合同な外形を有し、それぞれ、前記中央セグメントグループの左上および右下に斜めに伸びており、
（１）前記第６のセグメントグループは、前記中央セグメントグループの前記左上の境界に隣接し、前記左上の境界と本質的に合同で、前記左上の境界と本質的に平行な、右下の境界を有し、
（２）前記第７のセグメントグループは、前記中央セグメントグループの前記右下の境界に隣接し、前記右下の境界と本質的に合同で、前記右下の境界と本質的に平行な、左上の境界を有し、
前記第８および第９のセグメントグループは、本質的に合同な外形を有し、前記中央セグメントグループのそれぞれ上方および下方に、ほぼ直立して伸びており、
（１）前記第８のセグメントグループは、前記中央セグメントグループの前記上の境界に隣接し、前記上の境界と本質的に合同であり、前記上の境界に本質的に平行な、下の境界を有し、
（２）前記第９のセグメントグループは、前記中央セグメントグループの前記下の境界に隣接し、前記下の境界と本質的に合同であり、前記下の境界に本質的に平行な、上の境界を有し、
（３）前記第８および第９の両方のセグメントグループは、平行でほぼ直立した左および右の境界を有し、前記左および右の境界は、前記中央セグメントグループの前記上の境界の前記水平方向の最大寸法が、水平方向に測定した距離を少なくとも２０％上回るような水平方向に測定した距離だけ隔てられ、
それにより、前記アレイは、前記中央セグメントグループ、第４のセグメントグループ、第５のセグメントグループ、第６のセグメントグループ、および第７のセグメントグループに含まれるすべてのセグメントを使用して、ばつ印に類似した乗算記号の実質的に完全な表現を表示することが可能であり、また、
それにより、前記アレイは、前記中央セグメントグループ、第２のセグメントグループ、第３のセグメントグループ、第８のセグメントグループ、および第９のセグメントグループに含まれるすべてのセグメントを使用して、加算記号の実質的に完全な表現を表示することが可能である表示アレイ。
【請求項４２】
前記セグメントは、液晶ディスプレイセグメントである、請求項４１に記載の表示アレイ。
【請求項４３】
数値演算の技能の学習を容易にする装置を提供するために、前記アレイ、および前記アレイを作動させる回路を保持するためのケースをさらに含む、請求項４２に記載の表示アレイ。
【請求項４４】
複数の異なる記号を、一度に１つの記号について視覚的に表現するための、少なくとも５つのセグメントグループを具備した表示アレイであって、前記セグメントグループのそれぞれは、少なくとも１つの、ただし５つ以下の、視覚的に連続した、電子的に動作可能なセグメントを具備し、各セグメントグループの前記複数のセグメントは隣接しており、前記セグメントグループは、
（ａ）第１のセグメントグループである中央セグメントグループと、
（ｂ）第２および第３のセグメントグループとを含み、
前記中央セグメントグループは、
（１）想像上の垂直軸および水平軸に関して対称な外形を有し、
（２）（Ａ）平行な上および下の境界と、
（Ｂ）左の境界と、
（Ｃ）右の境界とにより境界を付けられ、
前記上および下の境界は、
（ｉ）前記垂直軸に関して対称であり、また、前記水平軸に関して相互に対称であり、
（ｉｉ）前記上の境界の長さが前記境界の間の距離を少なくとも２０％上回るように、前記水平軸のそれぞれ上方および下方に間隔をあけて配置され、
（ｉｉｉ）それぞれが左の端点を有し、
前記左の境界は、
（ｉ）前記水平軸に関して対称であり、
（ｉｉ）前記上の境界の前記左の端点から開始され、
（ｉｉｉ）次に、前記水平軸上の、前記垂直軸の左に配置された点まで、右方向および下方向に伸び、
（ｉｖ）次に、前記下の境界の前記左の端点まで、左方向および下方向に伸び、
（ｖ）それにより、前記中央セグメントグループは、水平方向の、尖った左側の窪みを有するようになり、
前記右の境界は、前記垂直軸に関して前記左の境界と対称であり、
前記第２および第３のセグメントグループは、前記中央セグメントグループのそれぞれ左および右に水平に伸びており、前記水平軸に関して対称で、前記垂直軸に関して相互に対称な外形を有し、
（１）前記第２のセグメントグループは、前記中央セグメントグループの前記左の境界に隣接し、前記左の境界と本質的に合同であり、前記左の境界に本質的に平行な、右の境界を有し、
（２）前記第３のセグメントグループは、前記中央セグメントグループの前記右の境界に隣接し、前記右の境界と本質的に合同であり、前記右の境界に本質的に平行な、左の境界を有し、
それにより、前記アレイは、前記中央セグメントグループに含まれるすべてのセグメントを使用し、また、前記アレイの前記セグメントグループのうちの少なくともさらに２つ以上に含まれるすべてのセグメントを使用し、ただし、前記第２のセグメントグループおよび前記第３のセグメントグループに含まれるいずれのセグメントも使用せずに、ばつ印に類似した乗算記号の実質的に完全な表現を表示することが可能であり、また、
それにより、前記アレイは、少なくとも前記中央セグメントグループ、第２のセグメントグループ、および第３のセグメントグループに含まれるすべてのセグメントを使用して、加算記号、減算記号、および除算記号からなる群から選択された少なくとも１つの記号の実質的に完全な表現を、一度に１つの記号について表示することが可能である表示アレイ。
【請求項４５】
前記セグメントは、液晶ディスプレイセグメントである、請求項４４に記載の表示アレイ。
【請求項４６】
前記セグメントグループは、
（ａ）第４のセグメントグループと、
（ｂ）第５のセグメントグループと、
（ｃ）第６および第７のセグメントグループとをさらに含み、
前記第４のセグメントグループは、
（１）前記垂直軸に関して対称な外形を有しており、また、平坦で幅広くなるように水平に切り取られた底部を有する、直立した太字のｖにほぼ類似するように構成されており、
（２）下の境界を有し、前記下の境界は、
（Ａ）したがって、まっすぐで、水平であり、
（Ｂ）前記中央セグメントグループの前記上の境界の上方にあり、前記上の境界に隣接し、前記上の境界とほぼ同じ長さであり、
前記第５のセグメントグループは、前記水平軸に関して、前記第４のセグメントグループの前記外形と対称な外形を有しており、
前記第６および第７のセグメントグループは、
（１）前記水平軸に関して相互に対称な外形を有しており、
（２）それぞれ、前記中央セグメントグループの上方および下方のほぼ中央に、間隔をあけて配置され、前記第４のセグメントグループおよび第５のセグメントグループから離して配置され、
それにより、前記アレイは、前記中央セグメントグループ、第４のセグメントグループ、および第５のセグメントグループに含まれるすべてのセグメントを使用して、乗算記号の前記表現を表示することが可能であり、また、
それにより、前記アレイは、前記中央セグメントグループ、第２のセグメントグループ、第３のセグメントグループ、第６のセグメントグループ、および第７のセグメントグループに含まれるすべてのセグメントを使用して、除算記号の実質的に完全な表現を表示することが可能である、請求項４４に記載の表示アレイ。
【請求項４７】
前記セグメントは、液晶ディスプレイセグメントである、請求項４６に記載の表示アレイ。
【請求項４８】
前記セグメントグループは、
（ａ）第４のセグメントグループと、
（ｂ）第５および第６のセグメントグループと、
（ｃ）第７のセグメントグループと、
（ｄ）第８のセグメントグループと、
（ｅ）第９のセグメントグループと、
（ｆ）第１０および第１１のセグメントグループとをさらに含み、
前記第４のセグメントグループは、前記中央セグメントグループの左上に配置され、
（１）前記中央セグメントグループの前記上の境界の前記左の端点に隣接して配置された、まっすぐであり、右下の端点を有する、下の斜めの境界と、
（２）まっすぐであり、前記下の斜めの境界に平行であり、前記下の斜めの境界とほぼ向かい合わせであり、前記下の斜めの境界の右上に配置された、上の斜めの境界と、
（３）前記中央セグメントグループの前記上の境界の上方に、ほぼ接触するように配置された、尖った右下の先端部と、
（４）斜め向きの外形とを有し、
前記第５および第６のセグメントグループは、それぞれ前記水平軸および垂直軸に関して、前記第４のセグメントグループの前記外形と対称な外形を有し、
前記第７のセグメントグループは、前記垂直軸に関して、前記第５のセグメントグループの前記外形と対称な外形を有し、前記第４のセグメントグループの下および上の斜めの境界と、それぞれ同一直線上にある、下および上の斜めの境界を有し、
前記第８のセグメントグループは、前記中央セグメントグループの上方に配置され、前記垂直軸に関して対称な外形を有し、
（１）まっすぐであり、水平であり、前記垂直軸に関して対称であり、前記中央セグメントグループの前記上の境界に隣接し、左の端点を有する内側の境界と、
（２）外側の境界であって、（Ａ）前記内側の境界の上方に、前記内側の境界と向かい合わせに配置され、前記垂直軸に関して対称であり、
（Ｂ）左の端点から、前記垂直軸上の、前記水平軸のかなり上方にある点まで、下方向および右方向に伸び、次に、右の端点まで、上方向および右方向に伸び、
（Ｃ）それにより、前記第８のセグメントグループが、前記外側の境界によって形成される縦方向の尖った窪みを有するようになるような、外側の境界と、
（３）前記内側の境界の前記左の端点から開始し、前記第４のセグメントグループの前記右下の先端部に隣接して沿いながら上昇し、前記外側の境界の前記左の端点で終了する、左の境界と、
（４）前記垂直軸に関して前記左の境界と対称な、右の境界とにより境界を付けられ、
前記第９のセグメントグループは、前記水平軸に関して、前記第８のセグメントグループの前記外形と対称な外形を有し、
前記第１０および第１１のセグメントグループは、
（１）前記垂直軸を中心として対称であり、また前記水平軸に関して相互に対称である外形を有し、
（２）それぞれ、前記第８および第９のセグメントグループの、上方および下方に配置され、
（３）それぞれが、直立した平行な左および右の境界を有し、前記左および右の境界の間の距離よりも、前記中央セグメントグループの前記上の境界の長さが、少なくとも２０％上回るように、前記左および右の境界は配置され、
（４）それぞれ、前記第８のセグメントグループの前記外側の境界、および前記第９のセグメントグループの前記外側の境界に隣接し、前記境界と本質的に合同で、前記境界と本質的に平行な、内側の境界を有し、
それにより、前記アレイは、前記中央セグメントグループ、第４のセグメントグループ、第５のセグメントグループ、第６のセグメントグループ、第７のセグメントグループ、第８のセグメントグループ、および第９のセグメントグループに含まれるすべてのセグメントを使用して、乗算記号の前記表現を表示することが可能であり、また、
それにより、前記アレイは、少なくとも前記中央セグメントグループ、第２のセグメントグループ、第３のセグメントグループ、第８のセグメントグループ、第９のセグメントグループ、第１０のセグメントグループ、および第１１のセグメントグループに含まれるすべてのセグメントを使用して、加算記号の実質的に完全な表現を表示することが可能である、請求項４４に記載の表示アレイ。
【請求項４９】
前記セグメントは、液晶ディスプレイセグメントである、請求項４８に記載の表示アレイ。
【請求項５０】
数値演算の技能の学習を容易にする装置を提供するために、前記アレイ、および前記アレイを作動させる回路を保持するためのケースをさらに含む、請求項４８に記載の表示アレイ。
【請求項５１】
前記セグメントは、液晶ディスプレイセグメントである、請求項５０に記載の表示アレイ。
【請求項５２】
（ａ）前記中央セグメントグループの前記左の境界、および前記第２のセグメントグループの前記右の境界は、それぞれがＶ字型であり、
（ｂ）前記第４のセグメントグループの前記下の斜めの境界は、前記中央セグメントグループの前記左の境界の上半分と同一直線上にあり、
（ｃ）前記第８のセグメントグループの前記左の境界は、まっすぐであり、前記第１０のセグメントグループの前記左の境界と同一直線上にあり、
（ｄ）前記第４のセグメントグループの前記右下の先端部は、
（１）前記中央セグメントグループの前記上の境界の最も左の部分に隣接して平行な、まっすぐで水平な下の境界と、
（２）前記第８のセグメントグループの前記左の境界に隣接して平行な、まっすぐで直立した右の境界とを有し、
（ｅ）前記第８のセグメントグループの前記外側の境界は、Ｖ字型であり、
（ｆ）前記第１０のセグメントグループの前記内側の境界は、Ｖ字型であり、
（ｇ）前記中央セグメントグループの前記上の境界の長さは、
（１）前記中央セグメントグループの前記上と下の境界の間の距離、および
（２）前記第１０のセグメントグループの前記左と右の境界の間の距離のそれぞれを、少なくとも７０％上回り、
（ｈ）それにより、乗算記号の前記表現は、実質的に正常なものとなる、請求項５１に記載の表示アレイ。
【請求項５３】
前記セグメントは液晶ディスプレイセグメントであり、前記セグメントグループは、第１２および第１３のセグメントグループもさらに含み、前記第１２および第１３のセグメントグループは、
（ａ）前記垂直軸を中心として対称であり、また前記水平軸に関して相互に対称である外形を有し、
（ｂ）それぞれ、前記第１０および第１１のセグメントグループの、上方および下方に、それぞれ、前記セグメントグループに隣接して配置され、
それにより、前記アレイは、前記中央セグメントグループ、第２のセグメントグループ、第３のセグメントグループ、第８のセグメントグループ、第９のセグメントグループ、第１０のセグメントグループ、第１１のセグメントグループ、第１２のセグメントグループ、および第１３のセグメントグループに含まれるすべてのセグメントを使用して、加算記号の前記表現を表示することが可能であり、また、
それにより、前記アレイは、前記中央セグメントグループ、第２のセグメントグループ、第３のセグメントグループ、第１２のセグメントグループ、および第１３のセグメントグループに含まれるすべてのセグメントを使用して、除算記号の実質的に完全な表現を表示することが可能である、請求項４８に記載の表示アレイ。
【請求項５４】
数値演算計算機を提供するために、前記アレイ、および前記アレイを作動させる回路を保持するためのケースをさらに含む、請求項５３に記載の表示アレイ。
【請求項５５】
数値演算の技能の学習を容易にする装置を提供するために、前記アレイ、および前記アレイを作動させる回路を保持するためのケースをさらに含み、前記中央セグメントグループの前記上の境界の長さは、
（ａ）前記中央セグメントグループの前記上と下の境界の間の距離、および
（ｂ）前記第１０のセグメントグループの前記左と右の境界の間の距離のそれぞれを、少なくとも７０％上回る、請求項５３に記載の表示アレイ。
【請求項５６】
複数の異なる記号を、一度に１つの記号について視覚的に表現するための、９つのセグメントグループを具備した表示アレイであって、前記セグメントグループのそれぞれは、少なくとも１つの、ただし５つ以下の、視覚的に連続した、電子的に動作可能なセグメントを具備し、各セグメントグループの前記複数のセグメントは隣接しており、前記セグメントグループは、
（ａ）第１のセグメントグループである中央セグメントグループと、
（ｂ）第２のセグメントグループと、
（ｃ）第３のセグメントグループと、
（ｄ）第４のセグメントグループと、
（ｂ）第５および第６のセグメントグループと、
（ｃ）第７のセグメントグループと、
（ｄ）第８のセグメントグループと、
（ｃ）第９のセグメントグループとを含み、
前記中央セグメントグループは、
（１）想像上の垂直軸および水平軸に関して対称な外形を有し、
（２）水平方向の最大寸法を有し、
（３）左、左上、上、右上、右、右下、下、および左下の境界により連続的に境界を付けられ、
（Ａ）前記左および右の境界は、前記水平軸を中心に対称であり、また前記垂直軸に関して相互に対称であり、
（Ｂ）前記上および下の境界は、前記垂直軸を中心に対称であり、また前記水平軸に関して相互に対称であり、
（Ｃ）前記左上および左下の境界は、前記水平軸に関して相互に対称であり、
（Ｄ）前記右上および右下の境界は、前記水平軸に関して相互に対称であり、また前記垂直軸に関して、それぞれ、前記左上および左下の境界と対称であり、
（Ｅ）前記８つの境界のそれぞれは、前記中央セグメントグループの内側を向いた窪みを形成し、
（Ｆ）それにより、前記中央セグメントグループは、８つの外向きに尖った点を有するようになり、
前記第２のセグメントグループは、
（１）前記中央セグメントグループの左に水平に伸び、
（２）前記水平軸を中心に対称な外形を有し、
（３）尖った右向きの先端部を形成する右の境界を有し、前記右の境界は、前記中央セグメントグループの前記左の境界に隣接し、前記左の境界と本質的に合同で、前記左の境界と本質的に平行であり、
前記第３のセグメントグループは、前記垂直軸に関して前記第２のセグメントグループの前記外形と対称な外形を有し、
前記第４のセグメントグループは、前記中央セグメントグループの左上に配置され、
（１）前記中央セグメントグループの前記左および左上の境界が接合する場所に隣接して、右下の端点を有する、まっすぐな、下の斜めの境界と、
（２）前記下の斜めの境界に平行であり、前記下の斜めの境界とほぼ向かい合わせであり、前記下の斜めの境界の右上に配置された、まっすぐな、上の斜めの境界と、
（３）尖った右下向きの先端部を形成し、前記中央セグメントグループの前記左上の境界に隣接し、前記左上の境界と本質的に合同で、前記左上の境界と本質的に平行な、右下の境界と、
（４）外形とを有し、
前記第５および第６のセグメントグループは、それぞれ前記水平軸および垂直軸に関して、前記第４のセグメントグループの前記外形と対称な外形を有し、
前記第７のセグメントグループは、前記垂直軸に関して前記第５のセグメントグループの前記外形と対称な外形を有し、前記第４のセグメントグループの前記下および上の斜めの境界とそれぞれ同一直線上にある、下および上の斜めの境界を有し、
前記第８のセグメントグループは、
（１）前記中央セグメントグループの上方に配置され、
（２）前記垂直軸を中心に対称な外形を有し、
（３）直立した、平行な左および右の境界を有し、前記左および右の境界は、前記中央セグメントグループの前記水平方向の最大寸法が少なくとも２０％上回るような距離だけ隔てられ、
（４）尖った下向きの先端部を形成する内側の境界を有し、前記内側の境界は、前記中央セグメントグループの前記上の境界に隣接し、前記上の境界と本質的に合同で、前記上の境界と本質的に平行であり、
前記第９のセグメントグループは、前記水平軸に関して前記第８のセグメントグループの前記外形と対称な外形を有し、
それにより、前記アレイは、前記中央セグメントグループ、第４のセグメントグループ、第５のセグメントグループ、第６のセグメントグループ、および第７のセグメントグループに含まれるすべてのセグメントを使用して、ばつ印に類似した乗算記号の実質的に完全な表現を表示することが可能であり、また、
それにより、前記アレイは、前記中央セグメントグループ、第２のセグメントグループ、第３のセグメントグループ、第８のセグメントグループ、および第９のセグメントグループに含まれるすべてのセグメントを使用して、加算記号の実質的に完全な表現を表示することが可能である表示アレイ。
【請求項５７】
前記セグメントは、液晶ディスプレイセグメントである、請求項５６に記載の表示アレイ。
【請求項５８】
数値演算の技能の学習を容易にする装置を提供するために、前記アレイ、および前記アレイを作動させる回路を保持するためのケースをさらに含む、請求項５７に記載の表示アレイ。
【発明の詳細な説明】
【技術分野】
【０００１】
関連出願の相互参照
該当なし
【０００２】
連邦政府による資金提供を受けた研究プログラム
該当なし
【０００３】
発明の分野
本発明は、電子作動式の表示アレイに関し、特に、さまざまな形状のセグメントのさまざまな組み合わせを使用して算術演算記号を表示するアレイに関する。
【背景技術】
【０００４】
先行技術
多くの液晶ディスプレイ（表示器）およびその他の電子作動式ディスプレイは、乗算記号（×）を表示し、また、加算（＋）、減算（−）、および除算（÷または場合によっては／）のいずれかを表すその他の記号を少なくとも１つ表示する。これらのディスプレイの多くは、これらの記号を表示するためのさまざまな形状のセグメントのアレイを使用することにより、コストの削減、および／または、視覚的明瞭さの向上を試みている。以下に示す特許および製品は、この先行技術の例である。
【０００５】
レディオシャック・コーポレーション（ＲａｄｉｏＳｈａｃｋ  Ｃｏｒｐｏｒａｔｉｏｎ）は、「トーキング・マス・カリキュレーター（Ｔａｌｋｉｎｇ  Ｍａｔｈ  Ｃａｌｃｕｌａｔｏｒ）」という商標で、算術演算の技能を教えるためのハンドヘルド型の装置を販売している。この装置は、４つの基本算術演算のうちの選択された１つを含む、２演算項の算術演算問題（例えば、６［割る］３）を電子的に表示する。前記装置は、液晶ディスプレイ（ＬＣＤ）内の、別個の、重複しない位置に、これらの演算（＋、−、×、÷）のための記号を、一度に１つの記号について表示する。その結果、これらの記号は、識別可能ではあるが、同じ位置にも、または操作者が通常期待する位置にも表示されず、また、それらの記号に関連して表示される数字よりも不釣合いに小さく表示される。したがって、それらの記号は、容易には認識されないか、または簡単には識別されない。例えば、加算問題の２つの演算項は、横型の形式で（つまり、第２の演算項が第１の演算項の右に）表示されるが、加算記号（＋）は、ユーザが期待するとおりに２つの演算項の間に表示されるのではなく、前記演算項のかなり上に表示される。また、表示される前記記号の寸法は、表示される前記演算項の数字のサイズに釣り合ったものとは、ほど遠い。結果として、加算問題が表示されているという事実が、容易に明白とはならない。前記ＬＣＤの不十分さは、主に、４つの算術演算記号すべてを同じ適切な位置に（つまり、２つの演算項の間に）表示することができず、したがって、４つの独立した位置を使用する必要があるため、前記記号のサイズおよび位置が妥協したものとなるということに起因する。
【０００６】
テキサス・インスツルメンツ・インコーポレーテッド（Ｔｅｘａｓ  Ｉｎｓｔｒｕｍｅｎｔｓ，  Ｉｎｃｏｒｐｏｒａｔｅｄ）は、「マス．．．トゥー・ゴー！（Ｍａｔｈ．．．Ｔｏ  Ｇｏ！）」という商標で、基本算術演算を教えるハンドヘルド式の装置を販売している。この装置は、上に列挙した４つの基本算術演算記号のうち任意の１つの表現を含む、２演算項の算術演算問題を表示できる。しかし、この装置による乗算記号の表現は、中央の何もないところを指した、斜め向きの４本の線のみからなるため、通常の乗算記号によく似たものとはならない。乗算はおそらく、他の３つの基本算術演算のどれよりも多く練習されるという事実を考慮すると、これは特に望ましくない。その上、この装置の加算記号は、除算記号と混同される可能性がある。
【０００７】
エクスプローラトーイ（ＥｘｐｌｏｒａＴｏｙ）も、マス・ウィズ（ｍａｔｈ  ｗｈｉｚ）という商標で、基本算術演算を教えるハンドヘルド型装置を販売している。この装置も、４つの基本算術演算記号のうち任意の１つの表現を含む、算術演算問題を表示する。また、その乗算記号の表現も、中央の何もないところを指した、斜め向きの４本の線のみからなるため、通常の乗算記号によく似たものとはならない。
【０００８】
１９７７年８月２日に発行された米国特許第４，０４０，０４８号明細書（発明者リーアン（Ｌｉｅｎ））では、７つのセグメント（水平、Ｖ字型、および垂直）の適切な組み合わせを使用して、４つの基本算術演算の記号表現を一度に１つ表示する、発光ダイオード表示アレイが開示されている。しかし、乗算記号の中央には何も表示されないため、明瞭さと、見た目の美しさは、かなり損なわれている。その上、加算記号の垂直な腕は、紛らわしい隙間を有し、前記隙間のうちの２つは、乗算記号のためにＶ字型のセグメントが使用されるという事実により発生する。
【０００９】
１９８２年７月２０日に発行された米国特許第４，３４０，３７４号明細書（発明者カリー（Ｃｕｌｌｅｙ））では、開示されている電子学習補助装置に関連して、図２において、加算記号、減算記号、乗算記号、および除算記号の表現を、一度に１つの記号について表示するための構成要素セグメントの、その他の類似したアレイが説明されている。乗算記号を表すために、このアレイでは、２つのＶ字型のセグメントの代わりに、４つのまっすぐな斜め向きのセグメントを使用する。上記と同様に、乗算記号の有効性は、中央に何も表示されないことにより、かなり低下する。
【００１０】
１９９２年８月４日に発行された米国特許第５，１３５，３９８号明細書（発明者ソーントン（Ｔｈｏｒｎｔｏｎ）他）、および１９９２年８月１１日に発行された米国特許第５，１３７，４５７号明細書（発明者ハワード（Ｈｏｗａｒｄ）他）では、開示されている電子式教習装置に関連して、４つの算術演算記号を表示するための１１セグメントのアレイが説明されている。前記アレイは、中央の正方形のセグメント、２つの横長の長方形セグメント（１つは前記中央セグメントのすぐ左、もう１つは前記中央セグメントのすぐ右）、４つのほぼ正方形のセグメント（２つは前記中央セグメントのすぐ上、２つは前記中央セグメントのすぐ下）、および前記中央セグメントの周囲に対称に配置された４つの斜め向きのセグメントを使用する。乗算記号の重要性にもかかわらず、結果として得られる乗算記号の表現は、通常の乗算記号と比較すると、中央の周囲に４つの三角形の空きがあるものとなり、したがって、そのような空きがない場合よりも有効性はかなり低下する。
【発明の開示】
【発明が解決しようとする課題】
【００１１】
したがって、これらの先行技術のすべての装置では、（１）乗算記号の表示が、その他の算術演算記号を同じ位置に収容しようとする設計のために、中央部分に重大な欠陥を有するものとなっているか、または、（２）（ａ）４つの基本算術演算記号のいくつかを、操作者が期待していない位置に表示し、かつ、（ｂ）すべての記号を最適な比率よりも小さく表示するものとなっている。第１の場合、特にユーザが年少の場合は、非常に重要であることが多い乗算記号が、紛らわしく、迅速に認識できず、かつ／または、最終的に前記ユーザを疲れさせるものとなる。第２の場合、不釣合いに小さく、不適切に配置された記号は、あまり目立たない傾向があり、そのため、前記装置は時間をより消費するものとなる傾向がある。どちらの場合も、対象となっている装置は、より不便で、満足に使用できず、したがって、あまり使用されないものとなる。その上、７×８＝５６などの基本算術演算式（マスファクト）を記憶しようと試みる場合、生徒は、前記マスファクトの心的な視覚イメージを形成することが役立つことに気付くことがある。しかし、装置が、前記問題（７×８）および前記マスファクト（７×８＝５６）を、視覚的にゆがんだ、または不釣合いに小さく、不適切に配置された算術演算記号（ここでは、乗算記号）を使用して表示する場合、前記装置は、前記マスファクトの、前記生徒による心的イメージを効果的に強化するものとはならない。
【課題を解決するための手段】
【００１２】
発明の簡単な概要
上記を考慮した、本発明のいくつかの目的は、以下のとおりである。改良された算術演算表示アレイを提供すること。基本算術演算の４つの記号をすべて、一度に１つずつ、経済的に表示でき、先行技術の装置に関連する上述のすべての欠点を実質的になくす、電子作動式の視覚表示アレイを提供すること。（ａ）「×」に近似した乗算記号と、（ｂ）「＋」に近似した加算記号、「−」に近似した減算記号、および「÷」に近似した除算記号のうちの１つまたは複数との、本質的に正しい表現を、一度に１つの記号について、同じ適切な位置に、明瞭かつ比較的完全に表示することが、安価な携帯型機器の物理的に制限された領域内でも可能な、電子作動式の視覚表示アレイの代替の種類を提供すること。
【００１３】
さらなる目的は、上述のすべてと同様の表示アレイであり、かつ、各種の算術演算記号に使用されるすべてのセグメントを、複合記号として同時に表示する追加機能を有する表示アレイを提供することである。
【００１４】
その他のさらなる目的および利点は、この後の説明および図面を考慮することにより明らかになる。
【００１５】
本発明は、一度に１つの算術演算記号を視覚的に表示するための、経済的な、マルチセグメントの、電子作動式表示アレイを提供するものである。特に、本発明による表示アレイは、（ａ）ほぼ「×」のように構成された乗算記号と、（ｂ）（１）ほぼ「＋」のように構成された加算記号、（２）ほぼ「−」のように構成された減算記号、および（３）ほぼ「÷」のように構成された除算記号のうちの、１つまたは複数とを表示する。前記表示アレイの、新規な中央セグメント、または２〜５つの隣接するセグメントの中央グループ（中央「セグメントグループ」）は、乗算記号、およびその他の表示可能な算術演算記号の、中央部分を表示する。前記記号のこの中央部分は、少なくとも、（ａ）乗算記号と、（ｂ）減算記号全体を構成する水平な棒、加算記号の水平部分、および／または除算記号の上下の中央に配置された部分（これらのその他の記号のうち、いずれが表示可能であるかにより異なる）との、共通部分全体を本質的に含む。前記中央セグメントまたは中央セグメントグループの新規な特徴は、前記中央セグメントまたは中央セグメントグループは、前記表示アレイにより表示可能な各算術演算記号の中央部分を表示するために使用される一方で、前記中央セグメントまたは中央セグメントグループの水平方向の最大寸法は、（ａ）前記水平な棒の垂直方向の最大寸法、および、（ｂ）前記表示アレイにより加算記号が表示可能な場合は、加算記号の垂直部分を表示するためにのみ使用されるセグメントまたはセグメントグループの水平方向の最大寸法を、大幅に上回る値であるということである。この特徴により、乗算記号の、より完全な正しい表現が、その他の算術演算記号の表現を大きく損なわずにもたらされる。好ましい実施形態は、４つの算術演算記号すべてを独立に表示するか、またはそれらの算術演算記号の構成要素セグメントのすべてを複合記号として表示することが可能な、１３セグメントのＬＣＤアレイを有し、前記アレイの新規な中央セグメントは、六角形であり、左および右のそれぞれの端の内側を向いた、水平方向に尖ったＶ字型の窪みを有する。
【００１６】
図面では、密接に関連した図は、同じ番号を有するが、アルファベットの接尾文字が異なっている。
【発明を実施するための最良の形態】
【００１７】
発明の詳細な説明
図１Ａは、本発明の好ましい実施形態による、六角形の中央セグメント１０、および１２の追加セグメントを有する、ＬＣＤアレイの概略上面図を示す。前記１３セグメントのアレイは、加算記号、減算記号、乗算記号、除算記号、および１３のセグメントすべてからなる複合記号の、本質的に正しい表現を、一度に１つの記号について表示する、電子作動式の視覚表示装置の中で使用される。すべての記号は、同じ点（六角形の中央セグメントの幾何学的中心）に中心を有する。隔てられていなければ連続しているすべてのセグメントは、狭い（例えば、幅約０．１５ｍｍ）隙間（以下では、「通常の隙間」と呼ぶ場合がある）により隔てられている。説明を簡単にするために、以下では、あたかも前記隙間が存在しないかのように前記記号が取り扱われる場合がある。セグメント１１および１２は、それぞれ、中央セグメント１０の左および右に伸びている。同様に、セグメント１３、１４、１５、および１６は、それぞれ、セグメント１０の左上、右上、右下、および左下に延びており、また、セグメント１７および１８は、それぞれ、セグメント１０の上方の中央に、隣接して（つまり、事実上または実際に接触して）、および、セグメント１０の下方の中央に、隣接して配置されている。セグメント１９および２０は、それぞれ、セグメント１７から上向きに、およびセグメント１８から下向きに伸びている。最後に、セグメント２１は、セグメント１９の上方に、隣接して配置され、セグメント２２は、セグメント２０の下方に、隣接して配置されている。
【００１８】
図１Ｂの実線で示すように、前記１３セグメントのアレイは、直立し、上下および左右が対称の、２次元の十文字形のように構成された、加算記号「＋」を表示することができる。加算記号が表示される場合、図１Ｂの前記実線のセグメント（１０、１１、１２、１７、１８、１９、２０、２１、および２２）が暗く見えるように、既知の方法で適切に、セグメントが作動させられる。図１Ｂの隠れ線（破線）で表されている、残りのセグメントは、透明に見えるようにされる。
【００１９】
減算記号「−」が表示される場合は、セグメント１０、１１、および１２が作動させられる。（図１Ｃ）その結果、前記アレイは、加算記号の水平部分と同じものである、伸長された横向きの長方形を表示する。
【００２０】
乗算記号「×」が表示される場合は、セグメント１０、１３、１４、１５、１６、１７、および１８が暗くされる。（図１Ｄ）前記「×」は、直立位置から４５度回転された、等しい長さの腕を有する、上下および左右が対称の、２次元の十文字形のように構成されている。
【００２１】
除算記号「÷」が表示される場合は、セグメント１０、１１、１２、２１、および２２が暗くされる。（図１Ｅ）この記号では、減算記号が、正方形に近い長方形２つと組み合わされており、前記長方形のうちの１つは、減算記号の上方の中央に、一定の距離をおいて配置され、前記長方形のうちのもう１つは、減算記号の下方の中央に、同じ距離をおいて配置されている。前記２つの長方形は、いずれも、減算記号に平行である。
【００２２】
本実施形態のＬＣＤアレイを端から計測した寸法は、加算記号の寸法と同じで、高さ約１０．３ｍｍ、幅約１０．６ｍｍである。加算記号の水平および垂直の腕は、長方形であり、幅は約１．８ｍｍである。減算記号は、加算記号の水平部分と明らかに同じ寸法および形状を有する。乗算記号の斜め向きの腕は、長方形で、幅は約１．８ｍｍであり、前記アレイの縦の寸法１０．３ｍｍを超えることなく可能な限りの、おおよその距離まで、等しく伸びている。本実施形態では、左上および右下の腕は、右上および左下の腕に垂直になっている。除算記号の、正方形に近い２つの長方形は、両方とも、各辺が約１．８ｍｍであり、除算記号の中央部（および減算記号全体）を構成する伸長された横型の長方形の、最も近い境界から、約２．４５ｍｍのところに配置されている。
【００２３】
セグメントの詳細：
前記アレイの１３のセグメントの、より詳細で具体的な説明を以下に示す。
【００２４】
六角形の表示セグメント１０は、前記アレイの中心に配置されている。セグメント１０は、乗算記号と減算記号との共通部分全体に一致している。したがって、セグメント１０の形状は、垂直軸および水平軸に関して対称である。セグメント１０の最上部および最下部は、それぞれ、まっすぐであり、長さは約４．３ｍｍで、相互に約１．８ｍｍ離れている。したがって、セグメント１０の幅は、高さを約１４０％上回っている。セグメント１０の左端は、前記水平軸に関して対称な、内向きに尖った９０度の角度を形成する、長さが等しい２本の直線により構成されている。同様に、右端は、前記水平軸に関して対称な、内向きに尖った９０度の角度を形成する、長さが等しい２本の直線により構成されている。結果として、セグメント１０の基本的形状は、Ｖ字型の窪みを両端に有する水平な棒に類似したものとなる。
【００２５】
以下の一連の放射状セグメントが、中央セグメント１０から間隔をあけて伸びている。セグメント１１は、セグメント１０の左端に隣接して配置された、水平に伸びる五角形のセグメントである。セグメント１１の右端、つまり右の境界は、外向きに尖った９０度の角度を形成する、長さが等しい２本の直線により構成されている。この突出した右の境界は、セグメント１０の窪みのある左の境界に平行に隣接している。セグメント１１は、減算記号のうち、セグメント１０の左に伸びる部分に一致している（ただし、セグメント１１の先細りになった右端と、セグメント１０の内向きに尖った左端との間の通常の隙間を除く）。
【００２６】
セグメント１２は、セグメント１０の右端に隣接して配置された、水平に伸びる五角形のセグメントである。セグメント１２は、セグメント１１に対称な鏡像である。
【００２７】
セグメント１７は、セグメント１０の最上部の中央に隣接して配置された、窪みのある五角形のセグメントである。特に、セグメント１７の底辺は、セグメント１０の上の境界を形成する線から通常の隙間により隔てられた、前記線に平行で、前記線を基準に水平方向の中心に配置された直線である。セグメント１７の左および右の辺（つまり、境界）は、セグメント１７の底辺に垂直な、上向きに伸びた長さが等しい２本の直線である。セグメント１７の最上部は、内向きに尖った９０度の角度を形成する、長さが等しい２本の直線により構成されている。これらの後者の２本の線は、乗算記号の上の２本の腕の、上の境界の最下部に一致している。したがって、セグメント１７は、加算記号の上の腕と、乗算記号の上の腕との共通部分に一致している（ただし、セグメント１０の最上部と、セグメント１７の底辺との間の通常の隙間を除く）。
【００２８】
セグメント１８は、セグメント１０の底辺の中央に隣接して配置された、窪みのある五角形のセグメントである。セグメント１８は、セグメント１７に対称な鏡像である。
【００２９】
セグメント２１は、３つの構成要素からなる除算記号の、最も高い位置にある、正方形に近い長方形の構成要素に一致する、長方形のセグメントである。セグメント２１の４つの辺は、それぞれの長さが約１．８ｍｍで、その水平な底辺は、セグメント１０の上の境界と平行であり、前記上の境界を基準に水平方向の中心に、前記上の境界から約２．４５ｍｍ上方に配置されている。
【００３０】
セグメント２２は、３つの構成要素からなる除算記号の、最も低い位置にある、正方形に近い長方形の構成要素に一致する、長方形のセグメントである。セグメント２２は、セグメント２１に対称な鏡像である。
【００３１】
セグメント１９は、セグメント２１とセグメント１７との間に配置された、下向きに尖った五角形のセグメントである。セグメント１９の最上部は、セグメント２１の底辺の真下に配置され、通常の隙間によってセグメント２１から隔てられている。セグメント１９の最下部は、外向きに尖った９０度の角度を形成する、長さが等しい２本の直線により構成されている。セグメント１９の先細りになった最下部は、通常の隙間により、セグメント１７の内向きに尖った最上部から隔てられている。セグメント１９の左および右の辺は、まっすぐであり、セグメント１９の最上部に垂直であり、セグメント２１および１７の左および右の辺と、それぞれ同一直線上にある。したがって、セグメント１９は、加算記号の上の腕の、セグメント２１の最下部の下にあり、かつ、セグメント１７の最上部の上にある部分に一致している（ただし、セグメント１９を、セグメント２１およびセグメント１７から隔てている通常の隙間を除く）。
【００３２】
セグメント２０は、セグメント２２とセグメント１８との間に配置された、上向きに尖った五角形のセグメントである。セグメント２０は、セグメント１９に対称な鏡像である。
【００３３】
セグメント１３は、乗算記号の左上の腕に（前記腕がセグメント１０およびセグメント１７と重なる部分を除いて、また、セグメント１３を、セグメント１０およびセグメント１７から隔てている通常の隙間を除いて）一致する、五角形のセグメントである。したがって、セグメント１３は、前記アレイに対して斜めに配置され、左上に傾斜している。セグメント１３の左上の端は、角が直角になっている。セグメント１３の右下の端は、外向きに尖った９０度の角度を形成する、長さが等しい２本の直線（１本は水平、もう１本は垂直）により構成されている。セグメント１３は、前記角度を二分する想像上の直線に関して対称であり、前記水平および垂直の線に沿って、通常の隙間により、セグメント１０およびセグメント１７から隔てられている。
【００３４】
セグメント１４は、乗算記号の右上の腕に（前記腕がセグメント１０およびセグメント１７と重なる部分を除いて、また、セグメント１４をセグメント１０およびセグメント１７から隔てている通常の隙間を除いて）一致する、五角形のセグメントである。したがって、セグメント１４は、前記アレイに対して斜めに配置され、右上に傾斜している。セグメント１４は、セグメント１０を二分する想像上の垂直な直線に関して、セグメント１３に対称な鏡像である。
【００３５】
セグメント１５は、乗算記号の右下の腕に（前記腕がセグメント１０およびセグメント１８と重なる部分を除いて、また、セグメント１５をセグメント１０およびセグメント１８から隔てている通常の隙間を除いて）一致する、五角形のセグメントである。したがって、セグメント１５は、前記アレイに対して斜めに配置され、右下に傾斜している。セグメント１５は、セグメント１０を二分する想像上の水平な直線に関して、セグメント１４に対称な鏡像である。
【００３６】
セグメント１６は、乗算記号の左下の腕に（前記腕がセグメント１０およびセグメント１８と重なる部分を除いて、また、セグメント１６をセグメント１０およびセグメント１８から隔てている通常の隙間を除いて）一致する、五角形のセグメントである。したがって、セグメント１６は、前記アレイに対して斜めに配置され、左下に傾斜している。セグメント１６は、セグメント１０を二分する想像上の水平な直線に関して、セグメント１３に対称な鏡像である。
【００３７】
セグメント１３、１４、１５、および１６は、合同である。つまり、重ね合わせて適切な向きにすれば、それらは相互に一致する。
【００３８】
各セグメントは、前記表示パネルの端にある固有のピン（図示せず）に前記セグメントを接続する、慣用の導電性リード（図示せず）を有し、また、すべてのセグメントは、単一の背面電極（図示せず）に電子的に接続されている。すべてのセグメントは、慣用の「ダイレクトドライブ」ＬＣＤ技術（図示せず）によって個別に作動させることができる。通常、本実施形態は、当業者によく知られた標準技術を使用して製造され、また、長期にわたり一般に販売されてきた電池式のハンドヘルド型計算機用、およびゲーム用の、ＬＣＤの設計および製造に使用される。
【００３９】
動作―好ましい実施形態
本実施形態が特に役立つのは、例えば、算術演算の技能を教えるためのハンドヘルド型の電子学習補助装置（ＥＬＡ）において、または、幼児・児童向けの計算機、特に、４つの基本算術演算のために数字および記号の比較的大きな表示を使用する、この種類の装置（ただし、これに限定されない）においてである。
【００４０】
計算機内または算術演算学習補助装置内で基本算術演算記号の視覚表現を生成するための、本発明による新規な表示アレイは、先行技術のディスプレイにおけるのと同様に使用される。
【００４１】
六角形のセグメント１０は、前記４つの算術演算記号のそれぞれの中央部を表示する。図１Ｂに示すように、加算記号を表示するには、セグメント１０、１１、１２、１７、１８、１９、２０、２１、および２２が作動させられる。減算記号を表示するには、セグメント１０、１１、および１２が作動させられる。（図１Ｃ）乗算記号を表示するには、セグメント１０、１３、１４、１５、１６、１７、および１８が作動させられる。（図１Ｄ）除算記号を表示するには、セグメント１０、１１、１２、２１、および２２が作動させられる。（図１Ｅ）
【００４２】
複合記号を表示するには、１３のセグメントがすべて作動させられる。（図１Ａ）複合記号は、点滅している場合には、ユーザに、適切なキーを押すことにより前記４つの算術演算のうちの１つを選択することを考慮する必要があるということを指示する、視覚的プロンプトとして機能することが可能である。そのような機能は、子供向けに設計された計算機で、使用したい算術演算機能を選択することを、子供に思い出させるために役立つ。また、ＥＬＡ内の点滅している複合記号は、ＥＬＡにより表示されている問題を解くための算術演算機能を選択することを（例えば、「７＊８＝５６」として表示されている問題に答えるために乗算を選択することを（ここで、「＊」は複合記号を表す））、学生に思い出させるために役立つ。
【００４３】
本実施形態は、前述の先行技術の装置のすべての欠点に対処する。本実施形態は、４つの基本算術演算記号のそれぞれの、本質的に完全な正しい表現を表示する。各表現は、関連する数字に対して適切な、同じ位置に中心が配置される。また、各表現のサイズは、関連する数字に比例する。したがって、各記号は、表示された場合、関連する数字およびその他の表示されている情報の背景の中で、ただちに容易に注目され、認識され、理解される。
【００４４】
図２は、図１の表示アレイを使用し、演算テーブル、より具体的には、０＋０＝０から９＋９＝１８までの１００の基本加算式、０−０＝０から１８−９＝９までの１００の基本減算式、０×０＝０から９×９＝８１までの１００の基本乗算式、および０÷１＝０から８１÷９＝９までの９０の基本除算式を教える、電池式の集積チップベースのＥＬＡの上面図を示す。
【００４５】
前記ＥＬＡは、ケース２８を有し、１つの実施形態では、ケース２８は、幅約１０ｃｍ、高さ約１０ｃｍ、および厚さ約２ｃｍである。ケース２８の前面上部の水平方向の中央には、幅約７．６ｃｍ、高さ約２ｃｍのＬＣＤ２９が配置されている。ＬＣＤ２９には、左から右にわたって、一般的な７セグメント設計で構成された第１のマトリックス−エイト数値文字（ｍａｔｒｉｘ−ｅｉｇｈｔ  ｎｕｍｅｒｉｃａｌ  ｃｈａｒａｃｔｅｒ）３１と、第２のマトリックス−エイト文字３２と、加算記号、減算記号、乗算記号、除算記号、または１３のセグメントをすべて組み合わせた複合記号のいずれかを視覚的に表現するための、図１Ａに示すような１３セグメントのアレイ３０と、第３のマトリックス−エイト文字３３と、「＝」記号３６と、第４のマトリックス−エイト文字３４と、第５のマトリックス−エイト文字３５とが配置されている。（１３セグメントのアレイ３０は、図２に示すよりもある程度大きいことが好ましい。）
【００４６】
以下のキーが、ケース２８上部の、ＬＣＤ２９の下に配置されている。最も右側にある縦の列には、上から順に、前記ＥＬＡの電源を入れるためのＯＮキー、前記ＥＬＡの電源を切るためのＯＦＦキー、および前記ＥＬＡの電源が入れられた場合に５０の問題の組の表示を開始するためのＳＴＡＲＴキーが配置されている。これらの３つのキーのすぐ左には、加算の算術演算を指定するための＋キー、減算を指定するための−キー、および乗算を指定するための×キーが、縦の列に並べられている。×キーの下には、除算を指定するための÷キーが配置されている。また、ケース２８の上部には、９つの指定された数字を入力するための、「１」、「２」、「３」、「４」、「５」、「６」、「７」、「８」、および「９」キーが、計算機に通常見られる３×３のパターンで並べられている。数字０を入力するための「０」キーは、「２」キーの下に配置されている。
【００４７】
前記ＥＬＡの操作は、以下のとおりである。図２に示す前記ＥＬＡは、前記ＯＮキーを押すことにより電源が入れられる。この結果として、ＬＣＤ２９内の１３セグメントのＬＣＤアレイ３０により、複合記号（つまり、セグメント１０〜２２）が点滅表示される。次に、前記ＳＴＡＲＴキーが押された場合は、ＬＣＤ２９内に問題が表示される。前記ＳＴＡＲＴキーが押された際に、複合記号が点滅していたため、前記問題は、前記ＥＬＡにより教えられる前記３９０の加算、減算、乗算、および除算式のうちの１つに基づくものとなる。特定の式が、前記ＥＬＡによりランダムに選択され、前記問題は、以下の４つの問題形式から前記ＥＬＡによりランダムに選択された形式で表示される。
【００４８】
（１）第１の（つまり、左の）演算項が未知の形式。この形式は、第１のマトリックス−エイト文字３１、および第２のマトリックス−エイト文字３２の、いずれにも何も表示されないことにより示される。それと同時に、前記ＬＣＤは、１３セグメントのアレイ３０による特定の算術演算子と、第３のマトリックス−エイト文字３３による第２の演算項と、「＝」記号３６と、第４のマトリックス−エイト文字３４および第５のマトリックス−エイト文字３５の両方による、または第５のマトリックス−エイト文字３５のみによる、和、差、積、または商とを表示する。
【００４９】
（２）算術演算子が未知の形式。この形式は、１３セグメントのアレイ３０のすべてのセグメントが同時に点滅することにより示される。それと同時に、前記ＬＣＤは、第１のマトリックス−エイト文字３１および第２のマトリックス−エイト文字３２の両方による、または第２のマトリックス−エイト文字３２のみによる第１の演算項と、第３のマトリックス−エイト文字３３による第２の演算項と、「＝」記号３６と、第４のマトリックス−エイト文字３４および第５のマトリックス−エイト文字３５の両方による、または第５のマトリックス−エイト文字３５のみによる、和、差、積、または商とを表示する。
【００５０】
（３）第２の（つまり、右の）演算項が未知の形式。この形式は、第３のマトリックス−エイト文字３３により何も表示されず、それとともに、第１の演算項と、特定の算術演算子と、「＝」と、和、差、積、または商とが表示されることにより示される。
【００５１】
（４）最後に、和、差、積、または商が未知の形式。この形式は、第４のマトリックス−エイト文字３４、または第５のマトリックス−エイト文字３５の、いずれにも何も表示されず、それとともに、第１の演算項と、特定の算術演算子と、第２の演算子と、「＝」とが表示されることにより示される。
【００５２】
操作者は、次に、（ａ）答えが１桁の数値の場合は、前記数字キー（０、１、２、３、４、５、６、７、８、および９）のいずれかを押すことにより、（ｂ）答えが２桁の数値の場合は、十の位の数字を入力するためにそれらのキーのいずれかを押し、次に、一の位の数字を入力するために再びそれらのキーのいずれかを押すことにより、また、（ｃ）答えが特定の算術演算である場合は、前記＋、−、×、÷キーのいずれかを押すことにより、表示された問題に答える。
【００５３】
操作者が不適切な数字を押すと、前記ＥＬＡは、圧電素子または圧電変換器（図示せず）による、ブザーノイズなどの否定的に聞こえるノイズを発生し、ランダムに選択された形式の、ランダムに選択された他の問題を表示する。操作者が問題に正しく答えた場合、前記ＥＬＡは、メロディー付きのチャイムなどの肯定的に聞こえるノイズを発生し、ランダムに選択された形式の、ランダムに選択された他の問題を表示する。このプロセスは、操作者が５０の問題に答える試みを完了するまで継続される。
【００５４】
前記ＳＴＡＲＴキーを使用して実習を開始する直前に、操作者が、前記＋、−、×、または÷キーのいずれかを押した場合、前記ＥＬＡは、次の２点を除き、上記と同様に動作する。第１に、ランダムに選択される式は、すべて、選択された算術演算によるものとなる。第２に、算術演算が未知の形式の問題は選択されない。
【００５５】
最後に、図２に示すＥＬＡの電源が入っている場合、前記ＯＦＦキーを押すと、前記ＥＬＡの電源が切られる。
【００５６】
図３は、図１の表示アレイを使用した、電池式の集積チップベースの子供向け電子卓上計算機の上面図を示す。前記計算機は、ケース３８を有し、本実施形態では、ケース３８は、幅約２０ｃｍ、高さ約７．６ｃｍ、および厚さ約２ｃｍである。ケース３８の前面上部の水平方向の中央には、幅約１７．５ｃｍ、高さ約２ｃｍのＬＣＤ３９が配置されている。ＬＣＤ３９には、左から右にわたって、一般的な７セグメント設計で構成された、第１のマトリックス−エイト文字４１と、第２のマトリックス−エイト文字４２と、加算記号、減算記号、乗算記号、除算記号、または１３のセグメントすべてによる複合記号のいずれかを視覚的に表現するための、図１Ａに示すような１３セグメントのアレイ４０と、第３のマトリックス−エイト文字４３と、第４のマトリックス−エイト文字４４と、「＝」記号５１と、第５のマトリックス−エイト文字４５と、第６のマトリックス−エイト文字４６と、第７のマトリックス−エイト文字４７と、第８のマトリックス−エイト文字４８と、小さな追加の間隔と、「マトリックス−エイト」とほぼ同じ高さの単一セグメントの文字「Ｒ」５２と、第９のマトリックス−エイト文字４９と、第１０のマトリックス−エイト文字５０とが配置されている。（１３セグメントのアレイ４０は、図３に示すよりもある程度大きいことが好ましい。）
【００５７】
以下のキーが、ケース３８上部の、ＬＣＤ３９の下に、横２列に配置されている。前記２列のうち、下の列には、左から右に、１０の指定された数字を入力するための、「１」、「２」、「３」、「４」、「５」、「６」、「７」、「８」、「９」、および「０」キーが配置されている。上の列には、左から右に、ＯＮキー、ＯＦＦキー、加算の算術演算を指定するための＋キー、減算を指定するための−キー、乗算を指定するための×キー、除算を指定するための÷キー、ＣＬＲキー（ここで、「ＣＬＲ」は、「ＣＬＥＡＲ」の略である）、および＝キーが配置されている。
【００５８】
前記ＯＮキーを押すと、前記計算機の電源が入れられる。その結果、ＬＣＤ３９内に、複合記号（つまり、セグメント１０〜２２）および「＝」記号５１が表示される。操作者は、次に、前記数字キーの１つまたは複数を適切に押すことにより、１桁または２桁の非負の整数を、左演算項として入力することができる。２桁の左演算項の場合は、左の桁を最初に入力しなければならない。次に、操作者は、前記＋、−、×、または÷キーを押すことにより、希望する算術演算を指定する。次に、操作者は、左演算項を入力したのと同じ方法で、１桁または２桁の非負の整数を、右演算項として入力する。最後に、操作者は、＝キーを押し、その結果、入力した問題に対する答えが、「＝」の右に表示される。
【００５９】
例えば、「９８＋１００」に対する答えは、第６のマトリックス−エイト文字４６、第７のマトリックス−エイト文字４７、および第８のマトリックス−エイト文字４８により、「１９８」として表示される。「９−１５」に対する答えは、第８のマトリックス−エイト文字４８により「６」が表示され、第７のマトリックス−エイト文字４７の３つの水平なセグメントのうち、中央のセグメントによって「−」が表示されることにより、「−６」として表示される。
【００６０】
「９０×９０」に対する答えは、第５のマトリックス−エイト文字４５、第６のマトリックス−エイト文字４６、第７のマトリックス−エイト文字４７、および第８のマトリックス−エイト文字４８により、「８１００」として表示される。また、「５０÷２６」に対する答えは、「１」余り「２４」として表示される。前記「１」は、第８のマトリックス−エイト文字４８により表示される。前記余り「２４」は、第９のマトリックス−エイト文字４９および第１０のマトリックス−エイト文字５０により表示され、「２４」が余りであるという事実は、大文字の「Ｒ」５２により表示される。
【００６１】
問題を入力する際に間違いが発生した場合は、前記ＣＬＲキーを押すと、ＬＣＤ３９は、前記計算機に最初に電源が入れられたときの状態、つまり、複合記号および「＝」のみが表示されている状態に戻る。
【００６２】
前記計算機の電源が入っている場合に、前記ＯＦＦキーを押すと、前記計算機の電源は切られる。前記計算機の電源が入っている場合に、操作者が不適切にキーを押すと、前記計算機の内部に配置された圧電素子または圧電変換器（図示せず）が、否定的に聞こえるノイズを発生する。例えば、操作者が２桁の左演算項を入力し、次に、算術演算を指定する前に、「３」キーなどの他の数字キーを押すと、前記計算機はそのようなノイズを発生する。
【００６３】
図４は、９つのセグメントを有するＬＣＤアレイの概略上面図を示す。前記アレイは、本発明による表示アレイの代替の実施形態であり、加算記号、乗算記号、および９つのセグメントすべてからなる複合記号の、本質的に正しい表現を、一度に１つの記号について表示する。したがって、本アレイと、図１Ａに示すアレイとの間の主な違いは、本アレイは減算記号および除算記号を表示できず、したがって、より少ないセグメントにより構成されているということである。本アレイでは、図１Ａに示すアレイと同様に、表示可能な記号は、同じ点に中心を有し、隔てられていなければ連続している隣接するセグメントは、通常の隙間により隔てられている。ここでも、説明を簡単にするために、以下では、あたかも前記隙間が存在しないかのように前記記号が取り扱われる場合がある。
【００６４】
加算記号（＋）は、直立し、上下および左右が対称の、２次元の十文字形のように構成されている。乗算記号（×）は、直立位置から４５度回転された、等しい長さの腕を有する、上下および左右が対称の、２次元の十文字形のように構成されている。
【００６５】
前記ＬＣＤアレイ、加算記号、および乗算記号の外形寸法は、図１Ａに示す好ましい実施形態のアレイにおける寸法と同じである。
【００６６】
セグメント６０は、上下および左右が対称であり、１６のまっすぐな辺を境界として有し、前記アレイの中心に配置され、加算記号と乗算記号との共通部分全体に一致している。したがって、セグメント６０の形状は、８つの頂点を有する星型のようになっている。前記星型の各頂点は、外向きに尖った４５度の角度である。連続した頂点の各ペアをつなぐ２つの辺は、内向きに尖った９０度の角度を形成している。セグメント６０の、８つのそのような内向きに尖った９０度の角度は、セグメント６０の中心から０度、４５度、９０度、１３５度、１８０度、２２５度、２７０度、および３１５度で放射する光線によって二分されるような向きになっている。
【００６７】
以下の一連の放射状セグメントが、中央セグメント６０から間隔をあけて伸びている。セグメント６１は、セグメント６０の最も左にある内向きに尖った９０度の角度に隣接して配置された、水平に伸びる五角形のセグメントである。セグメント６１の右端は、外向きに尖った９０度の角度を形成する、長さが等しい２本の直線により構成されている。セグメント６１は、加算記号のうち、セグメント６０の左に伸びる部分に一致している（ただし、セグメント６１の先細りになった端と、セグメント６０の前記角度との間の通常の隙間を除く）。
【００６８】
セグメント６２は、セグメント６０の最も上にある内向きに尖った９０度の角度に隣接して配置された、縦に伸びる五角形のセグメントである。セグメント６２の下端は、外向きに尖った９０度の角度を形成する、長さが等しい２本の直線により構成されている。セグメント６２は、加算記号のうち、セグメント６０の上方に伸びる部分に一致している（ただし、セグメント６２の先細りになった端と、セグメント６０の前記角度との間の通常の隙間を除く）。
【００６９】
セグメント６３は、セグメント６０の最も右にある内向きに尖った９０度の角度に隣接して配置された、水平に伸びる五角形のセグメントである。セグメント６３は、セグメント６１に対称な鏡像である。
【００７０】
セグメント６４は、セグメント６０の最も下にある内向きに尖った９０度の角度に隣接して配置された、縦に伸びる五角形のセグメントである。セグメント６４は、セグメント６２に対称な鏡像である。
【００７１】
五角形のセグメント６５は、乗算記号の左上の腕に（前記腕がセグメント６０と重なる部分を除いて、また、セグメント６５をセグメント６０から隔てている通常の隙間を除いて）一致している。したがって、セグメント６５は、前記アレイに対して斜めに配置され、左上に傾斜している。セグメント６５の左上の端は、角が直角になっており、幅は約１．８ｍｍである。セグメント６５の右下の端は、外向きに尖った９０度の角度を形成する、長さが等しい２本の直線（１本は水平、もう１本は垂直）からなる。セグメント６５は、前記角度を二分する想像上の直線に関して対称であり、前記水平および垂直の線に沿って、通常の隙間により、セグメント６０から隔てられている。
【００７２】
五角形のセグメント６６は、乗算記号の右上の腕に（前記腕がセグメント６０と重なる部分を除いて、また、セグメント６６をセグメント６０から隔てている通常の隙間を除いて）一致している。したがって、セグメント６６は、前記アレイに対して斜めに配置され、右上に傾斜している。セグメント６６は、セグメント６０を二分する想像上の垂直な直線に関して、セグメント６５に対称な鏡像である。
【００７３】
五角形のセグメント６７は、乗算記号の右下の腕に（前記腕がセグメント６０と重なる部分を除いて、また、セグメント６７をセグメント６０から隔てている通常の隙間を除いて）一致している。したがって、セグメント６７は、前記アレイに対して斜めに配置され、右下に傾斜している。セグメント６７は、セグメント６０を二分する想像上の水平な直線に関して、セグメント６６に対称な鏡像である。
【００７４】
五角形のセグメント６８は、乗算記号の左下の腕に（前記腕がセグメント６０と重なる部分を除いて、また、セグメント６８をセグメント６０から隔てている通常の隙間を除いて）一致している。したがって、セグメント６８は、前記アレイに対して斜めに配置され、左下に傾斜している。セグメント６８は、セグメント６０を二分する想像上の水平な直線に関して、セグメント６５に対称な鏡像である。
【００７５】
セグメント６５、６６、６７、および６８は、合同である。
【００７６】
セグメント６０は、加算記号および乗算記号の両方の中央部を表示する。加算記号を表示するには、セグメント６０、６１、６２、６３、および６４が作動させられる。乗算記号を表示するには、セグメント６０、６５、６６、６７、および６８が作動させられる。複合記号を表示するには、９つのセグメントすべてが作動させられる。
【００７７】
各セグメントは、固有のピン（図示せず）に接続する慣用の独立した導電性リード（図示せず）を有し、すべてのセグメントは、単一の背面電極（図示せず）を共有する。すべてのセグメントは、慣用の「ダイレクトドライブ」ＬＣＤ技術（図示せず）によって個別に作動させることができる。通常、本実施形態は、当業者によく知られた標準技術を使用して製造され、また、長期にわたり一般に販売されてきた電池式のハンドヘルド型計算機用、およびゲーム用の、ＬＣＤの設計および製造に使用される。
【００７８】
本実施形態は、特に、加算および乗算を教え、減算および除算は、少なくとも直接的には教えない、携帯型電子機器に役立つ。本実施形態では、減算記号または除算記号を表示する必要はないため、より少ないセグメントを使用して加算記号および乗算記号を表示し、その結果、それらの記号の表現は、セグメント間の隙間がより少ないものとなり、したがって、そうでない場合よりもさらに埋められているように見えるものとなる。
【００７９】
図５は、１１のセグメントを有するＬＣＤアレイの概略上面図を示す。前記アレイは、本発明による表示アレイの代替の実施形態であり、加算記号（＋）、減算記号（−）、乗算記号（×）、および１１のセグメントすべてからなる複合記号の、本質的に正しい表現を、一度に１つの記号について表示する。したがって、本アレイと、図１Ａに示す好ましい実施形態のアレイとの間の主な違いは、本アレイは除算記号（÷）を表示できず、したがって、２つ少ないセグメントにより構成されているということである。
【００８０】
本アレイでは、前記好ましい実施形態のアレイと同様に、表示可能な記号は、同じ点に中心を有し、隔てられていなければ連続しているセグメントは、通常の隙間により隔てられている。ここでも、説明を簡単にするために、以下では、あたかも前記隙間が存在しないかのように前記記号が取り扱われる場合がある。加算、減算、および乗算記号の形状および寸法は、前記好ましい実施形態における形状および寸法と同じであるが、必ずしもそうでなくてもよい。
【００８１】
セグメント７０は、前記アレイの中心に配置された、六角形の表示セグメントである。セグメント７０の、前記アレイ内での構成および配置は、前記好ましい実施形態の１３セグメントのアレイ内でのセグメント１０の構成および配置と同様である。
【００８２】
以下の一連の放射状セグメントが、中央セグメント７０から間隔をあけて伸びている。セグメント７１は、セグメント７０の左端に隣接して配置された、水平に伸びる五角形のセグメントである。セグメント７１の、前記アレイ内での構成および配置は、前記好ましい実施形態の１３セグメントのアレイ内でのセグメント１１の構成および配置と同様である。
【００８３】
セグメント７２は、セグメント７０の右端に隣接して配置された、水平に伸びる五角形のセグメントである。セグメント７２は、セグメント７１に対称な鏡像である。
【００８４】
セグメント７７は、セグメント７０の最上部の中央に隣接して配置された、窪みのある五角形のセグメントである。セグメント７７の、前記アレイ内での構成および配置は、前記好ましい実施形態の１３セグメントのアレイ内でのセグメント１７の構成および配置と同様である。
【００８５】
セグメント７８は、セグメント７０の底辺の中央に隣接して配置された、窪みのある五角形のセグメントである。セグメント７８は、セグメント７７に対称な鏡像である。
【００８６】
セグメント７９は、セグメント７７のすぐ上に隣接して配置された、下向きに尖った五角形のセグメントである。セグメント７９の最上部は、約１．８ｍｍで、セグメント７０の上の境界の上方約４．２５ｍｍ上にある。セグメント７９の最下部は、外向きに尖った９０度の角度を形成する２本の直線により構成されている。セグメント７９の先細りになった最下部は、通常の隙間により、セグメント７７の内向きに尖った最上部から隔てられている。セグメント７９の左および右の辺は、まっすぐであり、セグメント７９の最上部に垂直であり、セグメント７７の左および右の辺と同一直線上にある。
【００８７】
セグメント８０は、セグメント７８のすぐ下に隣接して配置された、上向きに尖った五角形のセグメントである。セグメント８０は、セグメント７９に対称な鏡像である。
【００８８】
五角形のセグメント７３は、乗算記号の左上の腕に（前記腕がセグメント７０およびセグメント７７と重なる部分を除いて、また、セグメント７３をセグメント７０およびセグメント７７から隔てている通常の隙間を除いて）一致している。したがって、セグメント７３は、前記１１セグメントのアレイに対して斜めに配置され、左上に傾斜している。セグメント７３の、前記アレイ内での構成および配置は、前記好ましい実施形態の１３セグメントのアレイ内でのセグメント１３の構成および配置と同様である。
【００８９】
五角形のセグメント７４は、前記１１セグメントのアレイに対して斜めに配置され、右上に傾斜している。セグメント７４は、セグメント７０を二分する想像上の垂直な直線に関して、セグメント７３に対称な鏡像である。
【００９０】
五角形のセグメント７５は、前記１１セグメントのアレイに対して斜めに配置され、右下に傾斜している。セグメント７５は、セグメント７０を二分する想像上の水平な直線に関して、セグメント７４に対称な鏡像である。
【００９１】
五角形のセグメント７６は、前記１１セグメントのアレイに対して斜めに配置され、左下に傾斜している。セグメント７６は、セグメント７０を二分する想像上の水平な直線に関して、セグメント７３に対称な鏡像である。
【００９２】
セグメント７３、７４、７５、および７６は、合同である。
【００９３】
六角形のセグメント７０は、加算記号、減算記号、および乗算記号のそれぞれの中央部を表示する。加算記号を表示するには、セグメント７０、７１、７２、７７、７８、７９、および８０が作動させられる。減算記号を表示するには、セグメント７０、７１、および７２が作動させられる。乗算記号を表示するには、セグメント７０、７３、７４、７５、７６、７７、および７８が作動させられる。複合記号を表示するには、１１のセグメントすべてが作動させられる。
【００９４】
本実施形態は、特に、加算、減算、および乗算を教え、除算は、少なくとも直接的には教えない、携帯型電子機器に役立つ。本実施形態では、除算記号を表示する必要はないため、前記好ましい実施形態の１３セグメントのディスプレイよりも２つ少ないセグメントを使用して加算記号を表示し、その結果、この記号の表現は、セグメント間の隙間が２つ少ないものとなり、したがって、そうでない場合よりもさらに埋められているように見えるものとなる。
【００９５】
図６は、１２辺の中央セグメント９３を含む、１３のセグメントを有する、ＬＣＤアレイの概略上面図を示す。前記アレイは、電子作動式の視覚表示アレイの代替の実施形態であり、加算記号、減算記号、乗算記号、除算記号、および１３のセグメントすべてからなる複合記号の、本質的に正しい表現を、一度に１つの記号について表示する。すべての記号は、同じ点（前記１２辺の中央セグメントの幾何学的中心）に中心を有する。隔てられていなければ連続しているすべてのセグメントは、通常の隙間により隔てられている。説明を簡単にするために、以下では、あたかも前記隙間が存在しないかのように前記記号が取り扱われる場合がある。
【００９６】
前記インスタントアレイは、直立し、上下および左右が対称の、２次元の十文字形のように構成された、加算記号（＋）を表示する。減算記号（−）は、伸長された、水平に配置された長方形のように構成されており、加算記号の水平部分に一致している。除算記号（÷）は、減算記号を２つの長方形と組み合わせたもので、前記長方形のうちの１つは、減算記号の上方の中央に、一定の距離をおいて配置され、前記長方形のうちのもう１つは、減算記号の下方の中央に、同じ距離をおいて配置されており、前記２つの長方形は、両方とも、減算記号に平行である。乗算記号（×）は、前に説明した実施形態により表示されるものとは異なり、２つの合同な、伸長された長方形が、それらの長方形の共通部分の左側および右側では６０度の角度を形成し、それらの長方形の共通部分の上側および下側では１２０度の角度を形成するように、それらの長方形の中心において交差した結果による形状を有する。その結果、前記乗算記号は、いくらか押しつぶされたように見えるものとなる。その上、前記乗算記号の腕は、加算記号の腕よりも幅が狭い。本実施形態では、前記乗算記号のそれぞれの腕の幅は、３の平方根から１を減算することにより得られた差を、２で割った商を、加算記号の腕の幅に乗算した値に等しい。
【００９７】
１つの実施形態のＬＣＤアレイを端から計測した場合の寸法は、加算記号の寸法と同じで、高さ約１１ｍｍ、幅約１１ｍｍである。加算記号の水平および垂直の腕は、長方形であり、それらの端の寸法は約２．５４ｍｍである。減算記号は、加算記号の水平部分と明らかに同じ寸法および形状を有する。乗算記号を形成する２つの交差した長方形は、長さ約１２ｍｍで、それらの端の寸法は約０．９３ｍｍである。（この端の寸法は、３の平方根から１を減算することにより得られた差を、２で割った商を、加算記号の腕の端の寸法（ここでは、約２．５４ｍｍ）に乗算した積に等しい。）左上の腕の下の境界と、左下の腕の上の境界とは、６０度の角度を形成し、したがって、左上の腕の上の境界と、右上の腕の上の境界とは、１２０度の角度を形成する。除算記号の、上と下の長方形は、両方とも、幅約２．５４ｍｍ、高さ約１．９６ｍｍで、除算記号の中央部を構成する伸長された水平の長方形の、最も近い境界から、約２．２６ｍｍのところに配置されている。
【００９８】
表示セグメント９３は、１２のまっすぐな辺を有し、前記アレイの中心に配置されている。セグメント９３は、乗算記号と減算記号との共通部分全体に一致している。したがって、セグメント９３の形状は、セグメント９３およびそれらの記号を二分する、垂直軸および水平軸に関して対称である。セグメント９３は、それらの軸により作成される４つの象限のそれぞれの中で、３つの辺を有する。セグメント９３は上下および左右が対称なので、前記４つの象限のうち任意の１つの中での前記３つの辺について説明すれば、その他の９つの辺の配置を特定するには十分である。それらの辺の長さは、加算記号の端の寸法（ここでは、約２．５４ｍｍ）（代数的に「Ｅ」として表す）に相対的に記述される。前記水平および垂直軸の交点は、もちろん、セグメント９３の幾何学的中心である。
【００９９】
セグメント９３の左上の、最下部の斜めの辺（つまり、前記セグメントの左上の腕の下側）の、右下の端は、セグメント９３の幾何学的中心のすぐ左に位置している。前記２つの点の間の距離は、３の平方根を２で割ることにより得られた商から、０．５を減算することにより得られた差を、Ｅに乗算した積に等しい。前記左上の、最下部の斜めの辺は、その辺の右下の端から、３００度の角度で（０度はまっすぐ上）、Ｅに等しい距離にわたって、その辺の左上の端まで伸びている。セグメント９３の左上の水平な辺は、前記左上の端から、すぐ右に向かって、３の平方根から１を減算することにより得られた差に等しい距離にわたって伸びている。前記中央セグメントの左上の、最上部の斜めの辺は、前記左上の水平な辺の右端から、１２０度の角度で、３の平方根を３で割ることにより得られた商を、Ｅに乗算した積に等しい距離にわたって伸びている。前記左上の、最上部の斜めの辺の右下の端は、セグメント９３を二分する垂直軸上にあり、かつ、３の平方根を６で割ることにより得られた商を、０．５から減算することにより得られた差を、Ｅに乗算した積に等しい距離だけ、前記セグメントの幾何学的中心よりも上方にある。
【０１００】
中央セグメント９３は、右上の、最下部の斜めの辺を有する。この辺と、前記左上の、最下部の斜めの辺とは、前記セグメントを二分する垂直軸に関して対称である。前記セグメントは、左下の、最上部の斜めの辺、および右下の、最上部の斜めの辺も有する。前者と、前記左上の、最下部の斜めの辺とは、前記セグメントを二分する水平軸に関して対称であり、また、後者と、前記右上の、最下部の斜めの辺とは、前記セグメントを二分する水平軸に関して対称である。
【０１０１】
中央セグメント９３は、右上の、水平な辺を有する。この辺と、前記左上の、水平な辺とは、前記セグメントを二分する垂直軸に関して対称である。前記セグメントは、左下の、水平な辺、および右下の、水平な辺も有する。前者と、前記左上の、水平な辺とは、前記セグメントを二分する水平軸に関して対称であり、また、後者と、前記右上の、水平な辺とは、前記セグメントを二分する水平軸に関して対称である。
【０１０２】
中央セグメント９３は、右上の、最上部の斜めの辺を有する。この辺と、前記左上の、最上部の斜めの辺とは、前記セグメントを二分する垂直軸に関して対称である。前記セグメントは、左下の、最下部の斜めの辺、および右下の、最下部の斜めの辺も有する。前者と、前記左上の、最上部の斜めの辺とは、前記セグメントを二分する水平軸に関して対称であり、また、後者と、前記右上の、最上部の斜めの辺とは、前記セグメントを二分する水平軸に関して対称である。
【０１０３】
結果として、中央セグメント９３の基本的な形状は、押しつぶされた「Ｘ」に類似したものとなる。
【０１０４】
以下の一連の放射状セグメントが、セグメント９３から間隔をあけて伸びている。
【０１０５】
セグメント８１は、セグメント９３の左端に隣接して配置された、水平に伸びる五角形のセグメントである。セグメント８１の右端は、外向きに尖った６０度の角度を形成する、長さが等しい２本の直線により構成されている。セグメント８１は、減算記号のうち、セグメント９３の左に伸びる部分に一致している（ただし、セグメント８１の先細りになった右端と、セグメント９３の内向きに尖った左端との間の通常の隙間を除く）。
【０１０６】
セグメント８２は、セグメント９３の右端に隣接して配置された、水平に伸びる五角形のセグメントである。セグメント８２は、セグメント８１に対称な鏡像である。
【０１０７】
中央セグメント９３の、左上の、最上部の斜めの辺と、右上の、最上部の斜めの辺とは、前記セグメントの最上部の内側への、１２０度のＶ字型の窪みを形成する。上の二等辺三角形セグメント８７は、前記窪みに下向きに入り、前記窪みを埋める（ただし、セグメント９３の左上および右上の最上部の斜めの辺と、セグメント８７の左下および右下の辺（前記左下および右下の辺は、長さが等しい）との間の通常の隙間を除く）。セグメント８７の第３の辺は、セグメント９３の左上および右上の水平な辺と同一直線上にある。
【０１０８】
中央セグメント９３の、左下の、最下部の斜めの辺と、右下の、最下部の斜めの辺とは、前記セグメントの最下部の内側への、１２０度のＶ字型の窪みを形成する。下の二等辺三角形セグメント８８は、前記窪みに上向きに入り、前記窪みを埋める（ただし、セグメント９３の左下および右下の最下部の斜めの辺と、セグメント８８の左上および右上の辺（前記左上および右上の辺は、長さが等しい）との間の通常の隙間を除く）。セグメント８８の第３の辺は、セグメント９３の左下および右下の水平な辺と同一直線上にある。セグメント８８は、セグメント８７に対称な鏡像である。
【０１０９】
長方形のセグメント９１は、３つの構成要素からなる除算記号の、最も高い位置にある構成要素に一致している。セグメント９１の約２．５４ｍｍの底辺は、上の二等辺三角形セグメント８７の水平な辺と平行であり、前記水平な辺を基準に水平方向の中心に、前記水平な辺から約２．２６ｍｍ上方に配置されている。
【０１１０】
長方形のセグメント９２は、３つの構成要素からなる除算記号の、最も低い位置にある、正方形に近い長方形の構成要素に一致している。セグメント９２は、セグメント９１に対称な鏡像である。
【０１１１】
長方形のセグメント８９は、セグメント９１とセグメント８７との間に配置されている。セグメント８９の最上部は、約２．５４ｍｍで、セグメント９１の底辺の真下に配置されている。セグメント８９の最下部は、上の二等辺三角形８７の水平な辺の上方に配置されている。セグメント８９の左および右の辺は、セグメント９１の左および右の辺と、それぞれ同一直線上にある。したがって、セグメント８９は、加算記号の上の腕の、セグメント９１の最下部の下にあり、かつ、セグメント８７の最上部の上にある部分に一致している（ただし、セグメント８９を、セグメント９１およびセグメント８７から隔てている通常の隙間を除く）。
【０１１２】
長方形のセグメント９０は、セグメント９２とセグメント８８との間に配置されている。セグメント９０は、セグメント８９に対称な鏡像である。
【０１１３】
台形のセグメント８３は、乗算記号の左上の腕に（前記腕がセグメント９３と重なる部分を除いて、また、セグメント８３をセグメント９３から隔てている通常の隙間を除いて）一致している。したがって、セグメント８３は、前記アレイに対して斜めに配置され、左上に傾斜している。セグメント８３の左上の端は、角が直角になっており、寸法は約０．９３ｍｍである。セグメント８３の右下の辺は、水平であり、セグメント８３の斜めの平行な辺のうち、最下部の辺との間で１５０度の角度を形成し、最上部の辺との間で３０度の角度を形成する。セグメント８３は、前記水平な線に沿って、通常の隙間により、セグメント９３から隔てられている。
【０１１４】
第２の台形のセグメント８４は、乗算記号の右上の腕に（前記腕がセグメント９３と重なる部分を除いて、また、セグメント８４をセグメント９３から隔てている通常の隙間を除いて）一致している。したがって、セグメント８４は、前記アレイに対して斜めに配置され、右上に傾斜している。セグメント８４は、セグメント９３を二分する想像上の垂直な直線に関して、セグメント８３に対称な鏡像である。
【０１１５】
第３の台形のセグメント８５は、乗算記号の右下の腕に（前記腕がセグメント９３と重なる部分を除いて、また、セグメント８５をセグメント９３から隔てている通常の隙間を除いて）一致している。したがって、セグメント８５は、前記アレイに対して斜めに配置され、右下に傾斜している。セグメント８５は、セグメント９３を二分する想像上の水平な直線に関して、セグメント８４に対称な鏡像である。
【０１１６】
第４の台形のセグメント８６は、乗算記号の左下の腕に（前記腕がセグメント９３と重なる部分を除いて、また、セグメント８６をセグメント９３から隔てている通常の隙間を除いて）一致している。したがって、セグメント８６は、前記アレイに対して斜めに配置され、左下に傾斜している。セグメント８６は、セグメント９３を二分する想像上の水平な直線に関して、セグメント８３に対称な鏡像である。
【０１１７】
セグメント８３、８４、８５、および８６は合同である。
【０１１８】
セグメント９３は、前記４つの算術演算記号のそれぞれの中央部を表示する。加算記号を表示するには、セグメント９３、８１、８２、８７、８８、８９、９０、９１、および９２が作動させられる。減算記号を表示するには、セグメント９３、８１、８２、８７、および８８が作動させられる。乗算記号を表示するには、セグメント９３、８３、８４、８５、および８６が作動させられる。除算記号を表示するには、セグメント９３、８１、８２、８７、８８、９１、および９２が作動させられる。複合記号を表示するには、１３のセグメントすべてが作動させられる。
【０１１９】
前記インスタントな代替の実施形態は、前記好ましい実施形態の製造に使用されたのと同様の技術を使用して製造され、また、前記好ましい実施形態が有用となる用途と同じ用途に適している。本実施形態の乗算記号は、前記好ましい実施形態に比べて、セグメント間の隙間がより少ないが、幅がより狭く、いくらか押しつぶされたような外観になる。
【０１２０】
図５に示す１１セグメントのアレイが、前記好ましい実施形態の１３セグメントのアレイをより単純にした、除算なしの代替の実施形態であるのと同様に、図６に示す１３セグメントのアレイをより単純にした、除算なしの１１セグメントの代替の実施形態（図示せず）も存在する。同様に、図４に示す９セグメントのアレイが、前記好ましい実施形態の１３セグメントのアレイをより単純にした、減算なし、除算なしの代替の実施形態であるのと同様に、図６に示す１３セグメントのアレイをより単純にした、減算なし、除算なしの９セグメントの代替の実施形態（図示せず）も存在する。
【０１２１】
一般に、図６に示すアレイは、１２辺の中央セグメントの上方および下方に三角形のセグメントを有する、可能なアレイの１つの例にすぎない。そのようなすべてのアレイの乗算記号は、次の２つの一般的な特性を共有する。（１）直交する腕を有する乗算記号よりも腕が押しつぶされている。（２）同じアレイにより表示される加算記号よりも腕の幅が狭い。
【０１２２】
図６は、また、直交していない腕を有する乗算記号を表示するアレイを使用した実施形態の、１つの例にすぎない。直交してはいないが、図６における腕よりもはるかに直交しているのに近い腕を使用して乗算記号を表示する、その他の実施形態は、さまざまなセグメントの先端および窪みの角度が９０度に等しくないということを除き、図１Ａに示すアレイに非常に類似したアレイを有する。
【０１２３】
図７は、７つのセグメントを有するＬＣＤアレイの概略上面図を示す。前記アレイは、本発明による表示アレイの代替の実施形態であり、乗算記号、除算記号、減算記号、および７つのセグメントすべてからなる複合記号の、本質的に正しい表現を、一度に１つの記号について表示する。
【０１２４】
この７セグメントのアレイでは、前記好ましい実施形態のアレイと同様に、表示可能な記号は、同じ点に中心を有し、隔てられていなければ連続しているセグメントは、通常の隙間により隔てられている。ここでも、説明を簡単にするために、以下では、あたかも前記隙間が存在しないかのように前記記号が取り扱われる場合がある。前記７セグメントのアレイにより表示可能な、乗算記号と、減算記号と、除算記号の上下の中央に配置された部分との、形状および寸法は、前記好ましい実施形態での形状および寸法と同じであるが、必ずしもそうでなくてもよい。除算記号の上と下の「ドット」は、前記好ましい実施形態におけるように長方形ではなく、円形であるが、必ずしもそうでなくてもよい。
【０１２５】
六角形の表示セグメント１００は、前記アレイの中心に配置されている。セグメント１００の、前記アレイ内での構成および配置は、前記好ましい実施形態の１３セグメントのアレイ内でのセグメント１０の構成および配置と同様である。
【０１２６】
セグメント１０１は、セグメント１００の左端に隣接して配置された、水平に伸びる五角形のセグメントである。セグメント１０１の、前記アレイ内での構成および配置は、前記好ましい実施形態の１３セグメントのアレイ内でのセグメント１１の構成および配置と同様である。
【０１２７】
セグメント１０２は、セグメント１００の右端に隣接して配置された、水平に伸びる五角形のセグメントである。セグメント１０２は、セグメント１０１に対称な鏡像である。
【０１２８】
７辺のセグメント１０３は、おおまかには、押しつぶされた先端部が、セグメント１００の最上部の中央に隣接して配置された、幅広の太字の「ｖ」のように構成されている。セグメント１０３の、前記アレイ内での構成および配置は、前記好ましい実施形態の１３セグメントのアレイ内で、セグメント１３、１４、および１７と、それらを隔てている２つの隙間を１つのセグメントに組み合わせたものの構成および配置と同様である。
【０１２９】
７辺のセグメント１０４は、セグメント１００の底辺の中央に隣接して配置されている。セグメント１０４は、セグメント１０３に対称な鏡像である。
【０１３０】
円形のセグメント１０５は、３つの構成要素からなる除算記号の、上部にある円形の構成要素に一致している。セグメント１０５の直径は約１．８ｍｍで、その中心は、セグメント１００の上の境界を基準に水平方向の中心に、前記上の境界から約３．３５ｍｍ上方に配置されている。
【０１３１】
円形のセグメント１０６は、３つの構成要素からなる除算記号の、下部にある円形の構成要素に一致している。セグメント１０６は、セグメント１０５に対称な鏡像である。
【０１３２】
六角形のセグメント１００は、乗算記号、除算記号、減算記号、および複合記号のそれぞれの中央部を表示する。乗算記号を表示するには、セグメント１００、１０３、および１０４が作動させられる。除算記号を表示するには、セグメント１００、１０１、１０２、１０５、および１０６が作動させられる。減算記号を表示するには、セグメント１００、１０１、および１０２が作動させられる。複合記号を表示するには、７つのセグメントすべてが作動させられる。
【０１３３】
各セグメントは、固有のピン（図示せず）に接続する慣用の独立した導電性リード（図示せず）を有し、すべてのセグメントは、単一の背面電極（図示せず）を共有する。すべてのセグメントは、慣用の「ダイレクトドライブ」ＬＣＤ技術（図示せず）によって個別に作動させることができる。通常、本実施形態は、当業者によく知られた標準技術を使用して製造され、また、長期にわたり一般に販売されてきた電池式のハンドヘルド型計算機およびゲームのためのＬＣＤの設計および製造に使用される。本実施形態は、特に、乗算、除算、および減算を教える携帯型電子機器に役立つ。本実施形態では、加算記号を表示する必要はないため、前記好ましい実施形態の１３セグメントの表示よりも６つ少ないセグメントを使用する。また、乗算記号の表示には、４つ少ないセグメントを使用するため、その結果として、セグメント間の隙間は４つ少ないものとなり、したがって、そうでない場合よりもさらに埋められているように見えるものとなる。
【０１３４】
もう１つの実施形態は、減算記号を表示しないということ以外は、上述の実施形態と同様である。この実施形態は、上述の実施形態と同様に、７セグメントのアレイを使用するが、セグメント１００、１０１、および１０２の組み合わせが、減算記号を表示するために単独で作動させられることはない。この実施形態では、これらの３つのセグメントは、除算記号の一部、または複合記号の一部を表示するためにのみ使用される。
【０１３５】
さらにもう１つの実施形態（図示せず）も、減算記号、乗算記号、および除算記号を表示可能な上述の７セグメントのアレイに類似しているが、このもう１つの実施形態は、５つのセグメント１００、１０１、１０２、１０３、および１０４のみからなり、除算記号は表示できず、減算記号および乗算記号のみを表示できるという点が異なる。
【０１３６】
図８は、前記算術演算記号の少なくともいくつか、またはそれらの算術演算記号の部分が、通常の上下および左右が対称な向きからわずかに回転させられたものを表示する表示アレイの、１つの例の概略上面図を示す。特に、図８に示す１１セグメントの表示アレイでは、加算記号、減算記号、乗算記号、および複合記号を表示でき、除算記号は表示することができず、また、加算記号の上向きおよび下向きの腕は、通常の直立した向きから時計回りに１０度回転させられて表示される。この回転は、関連する数字のやや斜めの表示（これは、７セグメントのマトリックス−エイトにより数字が表示される場合に一般的である）との、視覚的な一貫性を維持するために行われてもよい。
【０１３７】
図８に示す表示アレイは、図５に示すものに類似している。各アレイは、１１のセグメントを有する。図８に示すセグメント１１０、１１１、および１１２は、それぞれ、セグメント７０、７１、および７２と同じである。図８に示すセグメント１１３、１１４、１１５、１１６、１１７、１１８、１１９、および１２０は、それぞれ、セグメント７３、７４、７５、７６、７７、７８、７９、および８０とは異なっているが、その違いは、前者のすべての境界は、それらの間の通常の０．１５ｍｍの隙間を維持する必要によって影響を受け、かつ、セグメント１１７、１１８、１１９、および１２０（および、中央セグメント１１０の適切な平行四辺形部分）により表される長方形を作成するための、セグメント７７、７８、７９、および８０（および、中央セグメント７０の適切な正方形部分）により表される長方形の１０度の時計回りの回転によって影響を受ける、ということのみによるものである。
【０１３８】
図５に示すアレイのセグメント７７および７８とは異なり、セグメント１１７および１１８は、相互に対称な鏡像ではない。また、図５に示すセグメント７９および８０とは異なり、セグメント１１９および１２０は、相互に対称な鏡像ではない。しかし、セグメント１１７とセグメント１１８は合同であり、また、セグメント１１９とセグメント１２０も合同である。ただし、例えば、セグメント１１７の左の辺は、セグメント１１８の右の辺に「一致」し（したがって、合同であり）、また、セグメント１１９の右の辺は、セグメント１２０の左の辺に一致することに注意する必要がある。同様に、セグメント１１３、１１４、１１５、および１１６は、上下にも左右にも相互に対称ではないが、セグメント１１３と１１５は合同であり、また、セグメント１１４と１１６も合同である。
【０１３９】
セグメントの形状の上述の違いを除けば、図８に示す表示アレイの設計および構成は、図５に示すものと同様である。
【０１４０】
前記表示アレイの、その他の非対称な実施形態では、乗算記号が、通常の直立した位置からわずかに回転させられて表示される。前記アレイのセグメントの形状は、それに従ったものとなる。
【０１４１】
前記アレイの、さらにその他の非対称な実施形態では、除算記号の上および下の「ドット」が、前記ディスプレイの中央を基準として、同様に再配置される。前記ドットが四辺形の場合は、それらのドットの上および下の辺が、前記アレイの中央セグメントの上および下の辺と平行であることが好ましい。前記アレイが、加算記号も表示できる場合、前記加算記号の斜めになった上および下の腕は、それらの端に必ずしも垂直でなくてもよい。あるいは、除算記号の前記ドットが円形の場合、任意の加算記号の４本のすべての腕の端が丸みを付けられ、また、視覚的な一貫性のために、乗算記号の腕の端も同様にされることが好ましい。
【０１４２】
前記表示アレイの、さらにその他の非対称な実施形態では、前記中央セグメントの左および右に配置された水平なセグメントの左端および右端は、わずかに斜めになっており、一方で、上および下の辺またはそれらのセグメントは水平のままである。
【０１４３】
もちろん、上記は例にすぎず、上記の実施形態のさまざまな組み合わせや、（図１Ａ、図４、および図７に示す実施形態のように）図５に示す１１セグメントよりも多い、または少ないセグメントを有する、非対称な実施形態など、その他の類似した非対称な代替の実施形態が存在する。
【０１４４】
前記表示アレイのこれらの代替の実施形態はすべて、上下または左右のいずれについても対称ではないが、それらの実施形態のそれぞれは、想像上の垂直軸、および想像上の水平軸によって、それぞれ、合同な左および右のセクション、および合同な上および下のセクションに分割可能であることが好ましい。この意味では、これらのアレイのそれぞれは、上下または左右のいずれについても対称ではないが、水平に置いた場合は、合同な左および右のセクション、および合同な上および下のセクションに同様に分割可能な、長方形以外の平行四辺形に類似している。
【０１４５】
図９は、算術演算記号を表示する表示アレイ内で、単一のセグメントとしてではなく、グループとして作動させられることが可能な、セグメントグループ（つまり、２〜５つの隣接するセグメント）の１つの例の、概略上面図を示す。図９に示すセグメントグループは、グループとして作動させられた場合、乗算記号、および１つまたは複数のその他の表示可能な算術演算記号の、中央部分を表示する。前記記号のこの中央部分は、（ａ）乗算記号と、（ｂ）減算記号全体を構成する本質的に水平な棒、加算記号の水平部分、および／または除算記号の上下の中央に配置された部分（これらのその他の記号のうち、いずれが表示可能であるかにより異なる）との、共通部分全体を本質的に含む。そのような「中央セグメントグループ」は、ここで説明するように、３つの隣接するセグメントからなる場合でも、あるいは２つ、４つ、または５つの隣接するセグメントからなる場合でも、図１Ａ、図２、図３、図５、および図７に示すアレイで考慮した中央セグメントの代わりに、有効に使用されることが可能である（ただし、以下で説明するように、いくつかの点ではあまり有効ではない）。中央セグメントではない１つまたは複数のセグメントの代わりに、１つまたは複数のセグメントグループを使用することも可能である。
【０１４６】
図９に示す中央セグメントグループは、以下の３つの隣接した（つまり、事実上または実際に接触した）セグメントを含む。中央セグメント１０７、左セグメント１０８、および右セグメント１０９。セグメント１０８は、セグメント１０９に隣接していないが、セグメント１０８はセグメント１０７に隣接しており、セグメント１０７はセグメント１０９に隣接しているため、セグメント１０７、１０８、および１０９は、「セグメントグループ」の定義という目的のためには「隣接」している。
【０１４７】
セグメント１０７は、本質的に、１．８ｍｍの辺を有する直立した正方形である。セグメント１０８は、セグメント１０７の左の直立した辺の左に位置し、前記辺と長さが等しい、直立した右の辺を有する。セグメント１０９は、セグメント１０７の右の直立した辺の右に位置し、前記辺と長さが等しい、直立した左の辺を有する。約０．１５ｍｍの隙間が、セグメント１０８の右の辺およびセグメント１０９の左の辺を、セグメント１０７の左の辺および右の辺から、それぞれ隔てている。セグメント１０８および１０９は、図１Ａに示すアレイ内のセグメント１０により表示されることが可能なものと同じ六角形を、（セグメント１０８および１０９を、セグメント１０７から隔てている前記隙間を除き）前記３セグメントの中央セグメントグループが表示できるように構成された、五角形である。したがって、前記セグメントグループセットの「外形」および「境界」は、セグメント１０の形状および境界と同様に記述されることが可能である。
【０１４８】
セグメントグループの１つの利点は、より大きな柔軟性が得られるということである。例えば、図９に示す中央セグメントグループが有する中間セグメント１０７は、アレイのすべてのセグメントからなる複合記号の代わりに、単体で表示されることが可能である（例えば、可能な算術演算のうちの１つを選択することをユーザが考慮する必要があるということを、ユーザに指示するために）。
【０１４９】
おそらく、セグメントグループの最も大きな短所は、構成要素セグメントを隔てている隙間により、算術演算記号を表示するために使用される場合、セグメントグループを使用していない同等のアレイにおけるよりも、記号の表現の連続性が劣って見えるということである。例えば、セグメント１０のような単一の中央セグメントの代わりに、図９に示す中央セグメントグループを使用し、それ以外は図１Ａに示すアレイと同等のアレイによる、前記４つの基本算術演算記号のそれぞれの表示は、図１Ａに示すアレイによる表示よりも連続性が劣る。
【０１５０】
セグメントグループの第２の短所は、より複雑な回路、より多くのマイクロプロセッサ制御、およびより複雑なプログラミングを使用するということである。
【０１５１】
前記のすべての短所により、多くの構成要素セグメントを有するセグメントグループは実用的でない可能性がある。実際に、６つ以上の構成要素セグメントを含む中央セグメントグループは、実現可能ではない可能性がある。
【０１５２】
「セグメントセット」という用語は、セグメントまたはセグメントグループを意味する。したがって、セグメントセットは、単一のセグメント、または２〜５つの隣接するセグメントからなる。セグメントセットの「境界」は、セグメントセットを構成するセグメントまたはセグメントグループの境界である。同様に、セグメントセットの「外形」は、セグメントの形状、またはセグメントセットを構成するセグメントグループの外形である。
【０１５３】
本発明は、大幅に改良された電子作動式の視覚表示アレイを提供するものであることは明らかである。安価な携帯型機器を提供するという、物理的および経済的制約の中においてさえ、前記アレイは、乗算記号と、加算記号、減算記号、除算記号のうちの１つまたは複数とを、同じ適切な位置に、関連するその他の表示される記号（多くの場合は、数字）に対して適切な比率で、明瞭に、かつ比較的完全に表示することができる。学校、家庭、またはビジネスのいずれに使用される場合でも、本発明による電子表示アレイは、印刷物で通常使用されている表現に非常によく似た算術演算記号の表現を、単一の適切な位置に、適切なサイズで表示するため、より迅速かつ容易に読むことができる。したがって、これらの表示アレイは、乗算およびその他の基本算術演算の少なくとも１つのための記号を表示する、算術演算教習装置、計算機、およびその他の比較的安価かつ／または比較的小型の装置を大幅に強化する。
【０１５４】
上記の説明は、多くの詳細を含んでいるが、それらの詳細は、本発明の範囲を制限するものとして解釈されるべきではなく、本発明の現在の好ましい実施形態のいくつかの説明を単に提供するものとして解釈されるべきである。その他の実施形態も可能である。
【０１５５】
１つの代替の実施形態（図示せず）は、乗算記号、加算記号、除算記号、および１３のセグメントすべてからなる複合記号の、本質的に正しい表現を、一度に１つの記号について表示する１３セグメントのアレイを使用する。このアレイは、例えば、セグメント１０、１１、および１２と同等のセグメントを、減算記号としてのグループとして単独で表示しないということ以外は、図１Ａに示す好ましい実施形態と同様であることが可能である。類似した代替の実施形態（図示せず）は、同様の１３セグメントのディスプレイを使用して、（ａ）乗算記号、加算記号、減算記号、および複合記号を表示し、除算記号は表示しないようにすること、（ｂ）乗算記号、加算記号、および複合記号は表示し、減算記号または除算記号はいずれも表示しないようにすること、（ｃ）乗算記号、除算記号、減算記号、および複合記号は表示し、加算記号は表示しないようにすること、（ｄ）乗算記号、除算記号、および複合記号は表示し、加算記号または減算記号はいずれも表示しないようにすること、または、（ｅ）乗算記号、減算記号、および複合記号は表示し、加算記号または除算記号はいずれも表示しないようにすること、が可能である。
【０１５６】
もう１つの代替の実施形態（図示せず）は、乗算記号、減算記号、除算記号、および１１のセグメントすべてからなる複合記号の、本質的に正しい表現を、一度に１つの記号について表示する、電子作動式の１１セグメントのアレイを使用する。したがって、このアレイと、図１Ａに示す好ましい実施形態のアレイとの間の違いは、この１１セグメントのアレイは加算記号を表示せず、したがって、２つ少ないセグメントにより構成されているということである。実際に、図１Ａからセグメント１９およびセグメント２０を取り去ったものは、そのような１１セグメントのアレイの概略上面図を示すものとなる。
【０１５７】
さらにもう１つの代替の実施形態（図示せず）は、乗算記号、除算記号、および１１のセグメントすべてからなる複合記号の、本質的に正しい表現を、一度に１つの記号について表示する、１１セグメントのアレイを使用する。このアレイは、乗算、減算、および除算のための前記の実施形態のアレイに類似しているが、セグメント１０、１１、および１２と同等のセグメントを、減算記号としてのグループとして単独で表示することはない。類似した代替の実施形態（図示せず）は、同様の１１セグメントのディスプレイを使用して、乗算記号、減算記号、および複合記号を表示するが、除算記号は表示しない。
【０１５８】
複合記号を表示できる、説明したすべての実施形態の、変形形態のグループ（図示せず）は、このグループ内のいずれの変形形態も、その算術演算記号アレイのすべてのセグメントを、複合記号として同時に表示することはできないことを除き、それらの実施形態と同様である。
【０１５９】
１３セグメントのアレイの、その他の代替の実施形態（図示せず）では、１３のセグメントすべてが個別に作動可能ではない。１つのそのような実施形態では、例えば、セグメント１０は個別に作動可能であるが、セグメントの次の５つの組み合わせは、１つのまとまりとしてのみ作動可能である。（ａ）セグメント１１および１２、（ｂ）セグメント１３、１４、１５、および１６、（ｃ）セグメント１７および１８、（ｄ）セグメント１９および２０、（ｅ）セグメント２１および２２。したがって、例えば、セグメント２１は、セグメント２２を同時に作動させなければ、作動させることはできない。
【０１６０】
同様に、７セグメントのアレイ（図示せず）、９セグメントのアレイ（図示せず）、または１１セグメントのアレイ（図示せず）のその他の代替の実施形態では、すべてのセグメントが個別に作動可能ではない。９セグメントのディスプレイの、１つのそのような実施形態では、例えば、セグメント６０は個別に作動可能であるが、セグメントの次の２つの組み合わせは、１つのまとまりとしてのみ作動可能である。（ａ）セグメント６１、６２、６３、および６４、（ｂ）セグメント６５、６６、６７、および６８。
【０１６１】
その他の代替の実施形態（図示せず）では、表示セグメントの形状が、前述のいずれの実施形態とも多少異なっており、したがって、表示される演算記号の１つまたは複数の形状も、多少異なっている。例えば、そのような実施形態の１つ（図示せず）では、乗算記号の４つの端は、丸みを付けられており、角は直角になっていない。もう１つの実施形態（図示せず）では、加算記号の４つの端が丸みを付けられており、除算記号の上と下の構成要素が、長方形ではなく、円形または楕円形になっている。さらに他の実施形態（図示せず）では、乗算記号および／または加算記号の４本の腕が、Ｖ字型の角度では集束していない。例えば、これらの実施形態のいくつかでは、乗算記号の腕が、丸みのある、窪んだ隅に集束し、前記表示アレイのセグメントは、それに合った形状になっている（例えば、中央セグメントの左端および右端は、図１Ａのセグメント１０のようなＶ字型ではなく、丸みのある窪みを有するものとなっている）。異例であり、最適ではないが、乗算記号および／または加算記号の腕の間の接合部が、斜めになったもの、または凸型のものも実現可能である。もちろん、特定のセグメントは、それに合わせて再構成しなければならない。例えば、図４のセグメント６０を、正八角形または円形に再構成し、周囲の８つのセグメントもそれに合わせて調整することが可能である。
【０１６２】
さらに他の実施形態（図示せず）では、乗算記号の腕は、直交しているが、加算記号の腕よりも、幅が狭いか、または広い。乗算記号の腕の幅が、加算記号の腕の幅に、０．５の平方根（つまり、０．７よりもわずかに大きい数）を乗算した幅よりも狭い場合、４つの算術演算記号すべてを表示するために必要なセグメントの最小数は、１３から１７に増加する。そのような場合は、例えば、図１Ａのセグメント１７および１８のそれぞれの代わりに、３つの三角形のセグメント（図示せず）が存在し、セグメント１９および２０は、先端部の頂点の代わりに、追加の水平な中央の辺を有する。他方、乗算記号の腕の幅が、加算記号の腕の幅に、０．５の平方根を乗算した幅に等しい場合は、図１Ａのセグメント１７に対応するセグメントは、例えば、五角形ではなく、相互に向かい合って同じ角が結合された２つの直角三角形（図示せず）になる。
【０１６３】
すべての実施形態において、前記表示アレイの中央セグメントまたは中央セグメントグループ（つまり、中央セグメントセット）は、乗算記号の、およびその他の表示可能な算術演算記号の中央部分を表示する。前記記号のこの中央部分は、最小でも、（ａ）乗算記号と、（ｂ）減算記号全体を構成する水平な棒、加算記号の水平部分、および／または除算記号の上下の中央に配置された部分（これらの記号のうち、いずれが表示可能であるかにより異なる）との、共通部分全体を本質的に含む。また、前記中央セグメントセットの水平方向の最大寸法は、（ａ）前記水平な棒の垂直方向の最大寸法、および、（ｂ）前記表示アレイにより加算記号が表示可能な場合は、加算記号の垂直部分を表示するためにのみ使用されるセグメントの水平方向の最大寸法を、大幅に上回る値である。前記好ましい実施形態およびその他の実施形態において、前記中央セグメントセットの水平方向の最大寸法は、前記のその他の寸法を、少なくとも７０％（前記好ましい実施形態の場合は約１４０％）上回る。さらにその他の、有効性はより劣るが、実現可能な実施形態では、前者が後者を上回るパーセンテージはより小さい。しかし、すべての実施形態において、前者は後者を、少なくとも２０％上回る。なぜなら、そうでない場合、乗算記号の腕は、前記表示アレイにより表示可能なその他の記号と比較した場合は特に、向きが極端に垂直して、大幅にゆがんだものになり、かつ／または、読みやすさおよび明瞭さという観点から、幅が過度に狭いものになるためである。
【０１６４】
その他の代替の実施形態（図示せず）では、当業者によく知られている他のＬＣＤ技術が使用される。例えば、そのような実施形態のいくつかでは、ダイレクトドライブＬＣＤ技術の代わりに、慣用の「多重化」ＬＣＤ技術が使用される。多重化技術では、適切なセグメントが一緒に接続されてグループを形成し、複数の背面電極によって、それらのグループが順次作動させられる。
【０１６５】
その他の実施形態の最後の例として、いくつかの実施形態（図示せず）では、サイズおよび／または形状が異なる表示や、明るい背景と暗いセグメントではなく、暗い背景と明るいセグメントや、セグメント間のより小さな、またはより大きな隙間や、および／または真空蛍光技術、発光ダイオード技術、ガス放電管技術、エレクトロクロミック技術などの、ＬＣＤ技術以外の技術が使用される。
【０１６６】
したがって、本発明の範囲は、提示した例によってではなく、添付の特許請求項およびそれらの法的均等物によって決定されなければならない。
【図面の簡単な説明】
【０１６７】
【図１Ａ】本発明に従った、六角形の中央セグメントおよび１２の追加セグメントを有するＬＣＤアレイの概略グラフィックレイアウトを示す。
【図１Ｂ】実線で示された暗いセグメントと、破線で示された見えないセグメントを使用して、加算記号を表すように作動させられた、図１Ａのアレイを示す。
【図１Ｃ】実線で示された暗いセグメントと、破線で示された見えないセグメントを使用して、減算記号を表すように作動させられた、図１Ａのアレイを示す。
【図１Ｄ】実線で示された暗いセグメントと、破線で示された見えないセグメントを使用して、乗算記号を表すように作動させられた、図１Ａのアレイを示す。
【図１Ｅ】実線で示された暗いセグメントと、破線で示された見えないセグメントを使用して、除算記号を表すように作動させられた、図１Ａのアレイを示す。
【図２】演算テーブルを教え、本発明に従って図１ＡのＬＣＤアレイを実施する、電子学習補助装置（ＥＬＡ）の上面概略図を示す。
【図３】図１ＡのＬＣＤアレイを実施する、子供向け電子卓上計算機の上面概略図を示す。
【図４】本発明に従った、１６辺の中央セグメントおよび８つの追加セグメントを有するＬＣＤアレイの概略グラフィックレイアウトを示す。
【図５】本発明に従った、六角形の中央セグメントおよび１０の追加セグメントを有するＬＣＤアレイの概略グラフィックレイアウトを示す。
【図６】本発明に従った、１２辺の中央セグメントおよび１２の追加セグメントを有するＬＣＤアレイの概略グラフィックレイアウトを示す。
【図７】本発明に従った、六角形の中央セグメントおよび６つの追加セグメントを有するＬＣＤアレイの概略グラフィックレイアウトを示す。
【図８】本発明に従った、上下および左右が非対称なＬＣＤアレイの概略グラフィックレイアウトを示す。
【図９】３セグメントの中央セグメントグループの概略グラフィックレイアウトを示す。
【符号の説明】
【０１６８】
１０  ＬＣＤ用の１３セグメント表示アレイの六角形の中央セグメント
１１  １３セグメント表示アレイの左側の水平セグメント
１２  １３セグメント表示アレイの右側の水平セグメント
１３  １３セグメント表示アレイの左上の斜め向きのセグメント
１４  １３セグメント表示アレイの右上の斜め向きのセグメント
１５  １３セグメント表示アレイの右下の斜め向きのセグメント
１６  １３セグメント表示アレイの左下の斜め向きのセグメント
１７  １３セグメント表示アレイの上側の窪んだ五角形のセグメント
１８  １３セグメント表示アレイの下側の窪んだ五角形のセグメント
１９  １３セグメント表示アレイの上側の縦向きの尖った五角形のセグメント
２０  １３セグメント表示アレイの下側の縦向きの尖った五角形のセグメント
２１  １３セグメント表示アレイの上側の長方形のセグメント
２２  １３セグメント表示アレイの下側の長方形のセグメント
２８  演算テーブルを教えるためのＥＬＡのケース
２９  ＥＬＡのＬＣＤ
３０  図１ＡのＬＣＤアレイ
３１  ＥＬＡのＬＣＤの第１の「マトリックス−エイト」数値文字
３２  ＥＬＡのＬＣＤの第２のマトリックス−エイト文字
３３  ＥＬＡのＬＣＤの第３のマトリックス−エイト文字
３４  ＥＬＡのＬＣＤの第４のマトリックス−エイト文字
３５  ＥＬＡのＬＣＤの第５のマトリックス−エイト文字
３６  ＥＬＡのＬＣＤの「＝」記号
３８  子供向け算術計算機のケース
３９  計算機のＬＣＤ
４０  図１ＡのＬＣＤアレイ
４１  計算機のＬＣＤの第１のマトリックス−エイト文字
４２  計算機のＬＣＤの第２のマトリックス−エイト文字
４３  計算機のＬＣＤの第３のマトリックス−エイト文字
４４  計算機のＬＣＤの第４のマトリックス−エイト文字
４５  計算機のＬＣＤの第５のマトリックス−エイト文字
４６  計算機のＬＣＤの第６のマトリックス−エイト文字
４７  計算機のＬＣＤの第７のマトリックス−エイト文字
４８  計算機のＬＣＤの第８のマトリックス−エイト文字
４９  計算機のＬＣＤの第９のマトリックス−エイト文字
５０  計算機のＬＣＤの第１０のマトリックス−エイト文字
５１  計算機のＬＣＤの「＝」記号
５２  計算機のＬＣＤの「Ｒ」記号
６０  ＬＣＤ用の９セグメント表示アレイの１６辺の中央セグメント
６１  ９セグメント表示アレイの左側の水平セグメント
６２  ９セグメント表示アレイの上側の縦向きの五角形のセグメント
６３  ９セグメント表示アレイの右側の水平セグメント
６４  ９セグメント表示アレイの下側の縦向きの五角形のセグメント
６５  ９セグメント表示アレイの左上の斜め向きのセグメント
６６  ９セグメント表示アレイの右上の斜め向きのセグメント
６７  ９セグメント表示アレイの右下の斜め向きのセグメント
６８  ９セグメント表示アレイの左下の斜め向きのセグメント
７０  ＬＣＤ用の１１セグメント表示アレイの六角形の中央セグメント
７１  １１セグメント表示アレイの左側の水平セグメント
７２  １１セグメント表示アレイの右側の水平セグメント
７３  １１セグメント表示アレイの左上の斜め向きのセグメント
７４  １１セグメント表示アレイの右上の斜め向きのセグメント
７５  １１セグメント表示アレイの右下の斜め向きのセグメント
７６  １１セグメント表示アレイの左下の斜め向きのセグメント
７７  １１セグメント表示アレイの上側の窪んだ五角形のセグメント
７８  １１セグメント表示アレイの下側の窪んだ五角形のセグメント
７９  １１セグメント表示アレイの上側の縦向きの尖った五角形のセグメント
８０  １１セグメント表示アレイの下側の縦向きの尖った五角形のセグメント
８１  １２辺の中央セグメントを有するＬＣＤアレイの左側の水平セグメント
８２  １２辺の中央セグメントを有するＬＣＤアレイの右側の水平セグメント
８３  １２辺の中央セグメントを有するアレイの左上の斜め向きのセグメント
８４  １２辺の中央セグメントを有するアレイの右上の斜め向きのセグメント
８５  １２辺の中央セグメントを有するアレイの右下の斜め向きのセグメント
８６  １２辺の中央セグメントを有するアレイの左下の斜め向きのセグメント
８７  １２辺の中央セグメントを有するＬＣＤアレイの上側の三角形のセグメント
８８  １２辺の中央セグメントを有するＬＣＤアレイの下側の三角形のセグメント
８９  １２辺の中央セグメントを有するＬＣＤアレイの上側の内側の長方形のセグメント
９０  １２辺の中央セグメントを有するＬＣＤアレイの下側の内側の長方形のセグメント
９１  １２辺の中央セグメントを有するＬＣＤアレイの上側の外側の長方形のセグメント
９２  １２辺の中央セグメントを有するＬＣＤアレイの下側の外側の長方形のセグメント
９３  ＬＣＤ用の１３セグメント表示アレイの１２辺の中央セグメント
１００  ＬＣＤ用の７セグメント表示アレイの六角形の中央セグメント
１０１  ７セグメント表示アレイの左側の水平セグメント
１０２  ７セグメント表示アレイの右側の水平セグメント
１０３  ７セグメント表示アレイの上側のＶ字様のセグメント
１０４  ７セグメント表示アレイの下側のＶ字様のセグメント
１０５  ７セグメント表示アレイの上側の円形のセグメント
１０６  ７セグメント表示アレイの下側の円形のセグメント
１０７  ３つのセグメントを有する中央セグメントグループの中間セグメント
１０８  ３つのセグメントを有する中央セグメントグループの左セグメント
１０９  ３つのセグメントを有する中央セグメントグループの右セグメント
１１０  ＬＣＤ用の非対称な１１セグメント表示アレイの六角形の中央セグメント
１１１  非対称な１１セグメント表示アレイの左側の水平セグメント
１１２  非対称な１１セグメント表示アレイの右側の水平セグメント
１１３  非対称な１１セグメント表示アレイの左上の斜め向きのセグメント
１１４  非対称な１１セグメントアレイの右上の斜め向きのセグメント
１１５  非対称な１１セグメントアレイの右下の斜め向きのセグメント
１１６  非対称な１１セグメント表示アレイの左下の斜め向きのセグメント
１１７  非対称な１１セグメント表示アレイの上側の窪んだ五角形のセグメント
１１８  非対称な１１セグメント表示アレイの下側の窪んだ五角形のセグメント
１１９  非対称なアレイの上側の縦向きの尖った五角形のセグメント
１２０  非対称なアレイの下側の縦向きの尖った五角形のセグメント
2005526297.tif 000003
2005526297.tif 000004
【図２】
2005526297.tif 000005
2005526297.tif 000006
2005526297.tif 000007
2005526297.tif 000008
【図４】
2005526297.tif 000009
【国際調査報告】
2005526297.tif 000010
2005526297.tif 000011